(57)【要約】【課題】画像の情報量を低下させることなく、画像の低輝度領域での色ノイズを低減する。【解決手段】ノイズ低減装置（１）は、テレビ（１０）に表示させる画像の輝度に応じた第１の閾値であって、該第１の閾値に応じた輝度よりも小さい輝度を有する画素について、輝度を維持しながら彩度を減少させる彩度補正部（１２７）を備える。【選択図】図１
2017175219.tif 000002
【特許請求の範囲】
【請求項１】
表示させる画像の輝度に応じた第１の閾値であって、該第１の閾値に応じた輝度よりも小さい輝度を有する画素について、輝度を維持しながら彩度を減少させる彩度変更部を備える表示制御装置。
【請求項２】
上記画像の輝度の最大値を特定する最大値特定部をさらに備え、
上記第１の閾値は、上記最大値に対して所定の割合となる値であることを特徴とする請求項１に記載の表示制御装置。
【請求項３】
上記所定の割合は、上記画像の輝度の最大値と、上記画像を含むコンテンツに予め設定された、該コンテンツの輝度の最大値との差が大きい場合に小さくなり、小さい場合に大きくなることを特徴とする請求項２に記載の表示制御装置。
【請求項４】
上記所定の割合は、ユーザ操作に応じて変更されることを特徴とする請求項２または３に記載の表示制御装置。
【請求項５】
上記所定の割合を変更するためのユーザインターフェースを表示装置に表示させることを特徴とする請求項４に記載の表示制御装置。
【請求項６】
上記彩度変更部は、輝度が０から、上記画像の輝度に応じた閾値であって上記第１の閾値より値が小さい第２の閾値の範囲に含まれる画素の彩度を０とし、輝度が上記第２の閾値から上記第１の閾値の範囲に含まれる画素の彩度の減少度合いを、輝度が大きくなるほど小さくすることを特徴とする請求項１から５のいずれか１項に記載の表示制御装置。
【請求項７】
上記彩度変更部は、色相が青色に近い画素ほど上記彩度の減少度合いを大きくすることを特徴とする請求項１から６のいずれか１項に記載の表示制御装置。
【請求項８】
上記彩度変更部は、彩度が大きい画素ほど上記彩度の減少度合いを大きくすることを特徴とする請求項１から７のいずれか１項に記載の表示制御装置。
【請求項９】
請求項１から８のいずれか１項に記載の表示制御装置を備えていることを特徴とする表示装置。
【請求項１０】
請求項１から８のいずれか１項に記載の表示制御装置を備えていることを特徴とするテレビジョン受像機。
【請求項１１】
表示させる画像の輝度に応じた第１の閾値であって、該第１の閾値に応じた輝度よりも小さい輝度を有する画素について、輝度を維持しながら彩度を減少させる彩度変更ステップを含む表示制御装置の制御方法。
【請求項１２】
請求項１に記載の表示制御装置としてコンピュータを機能させるための制御プログラムであって、上記彩度変更部としてコンピュータを機能させるための制御プログラム。
【請求項１３】
請求項１２に記載の制御プログラムを記録したコンピュータ読み取り可能な記録媒体。
【発明の詳細な説明】
【技術分野】
【０００１】
本発明は、表示させる画像の色ノイズを低減させる表示制御装置などに関する。
【背景技術】
【０００２】
近年、テレビジョン受像機（テレビ）などの表示装置に表示する画像（映像）の信号に関して、低輝度から高輝度まで豊富な情報量を有するＨＤＲ（High Dynamic Range）信号が規格化された。しかしながら、このＨＤＲ信号に基づく画像を表示装置に忠実に表示した場合、画像の低輝度領域での色ノイズの発生が問題となる。
【先行技術文献】
【特許文献】
【０００３】
【特許文献１】特開２００７−３１２３３１号公報（２００７年１１月２９日公開）
【特許文献２】特開２０００−２３１８１号公報（２０００年１月２１日公開）
【発明の概要】
【発明が解決しようとする課題】
【０００４】
以前より、平均化フィルタ等を用いて表示装置に表示する画像（映像）のノイズを低減する技術はある（例えば、下記特許文献１および特許文献２参照）が、これらの従来技術では、画像の情報量が低下し、画像がぼやけたり、ディテール感が喪失したりするという問題がある。
【０００５】
本発明は、前記の問題点に鑑みてなされたものであり、その目的は、画像の情報量を低下させることなく、画像の低輝度領域での色ノイズを低減する表示制御装置などを実現することにある。
【課題を解決するための手段】
【０００６】
上記の課題を解決するために、本発明の一態様に係る表示制御装置は、表示させる画像の輝度に応じた第１の閾値であって、該第１の閾値に応じた輝度よりも小さい輝度を有する画素について、輝度を維持しながら彩度を減少させる彩度変更部を備える。
【０００７】
また、上記の課題を解決するために、本発明の一態様に係る表示制御装置の制御方法は、表示させる画像の輝度に応じた第１の閾値であって、該第１の閾値に応じた輝度よりも小さい輝度を有する画素について、輝度を維持しながら彩度を減少させる彩度変更ステップを含む。
【発明の効果】
【０００８】
本発明の一態様によれば、画像の情報量を低下させることなく、画像の低輝度領域での色ノイズを低減することができるという効果を奏する。
【図面の簡単な説明】
【０００９】
【図１】本発明の実施形態１に係るノイズ低減装置が搭載されたテレビの要部構成の一例を示すブロック図である。
【図２】図１に示すテレビの外観の一例を示す外観図である。
【図３】図１に示すノイズ低減装置が生成する輝度分布の一例を示す図である。
【図４】図１に示すノイズ低減装置が記憶している、輝度係数を決定するための関数の一例を示す図である。
【図５】彩度および色素と、青系統色差および赤系統色差との関係を示す平面座標である。
【図６】図１に示すノイズ低減装置が記憶している、彩度係数を決定するための関数の一例を示す図である。
【図７】図１に示すノイズ低減装置が記憶している、色相係数を決定するための関数の一例を示す図である。
【図８】図１に示すノイズ低減装置が実行するノイズ低減処理の流れの一例を示すフローチャートである。
【図９】フレーム輝度最大値に応じて変化する低輝度範囲決定係数について説明するためのグラフである。
【図１０】本発明の実施形態２に係るノイズ低減装置が搭載されたテレビの要部構成の一例を示すブロック図である。
【図１１】最大輝度情報とフレーム輝度最大値との比率の違いに応じた、低輝度の範囲の違いを示す図である。
【図１２】本発明の実施形態３に係るノイズ低減装置が搭載されたテレビの要部構成の一例を示すブロック図である。
【図１３】図１２に示すテレビの表示部に表示されるＵＩの一例を示す図である。
【図１４】図１２に示すテレビの表示部に表示されるＵＩの別の例を示す図である。
【発明を実施するための形態】
【００１０】
〔実施形態１〕
以下、本発明の実施形態１について、図１から図９に基づいて詳細に説明する。
【００１１】
（本発明の概要）
まず、本発明の概要について、図１および図２に基づいて説明する。図１は、本実施形態に係るノイズ低減装置１（表示制御装置）が搭載されたテレビ１０の要部構成の一例を示すブロック図であり、図２は、テレビ１０（表示装置、テレビジョン受像機）の外観の一例を示す外観図である。
【００１２】
図１に示すノイズ低減装置１は、テレビ１０への画像の表示を制御する。具体的には、ノイズ低減装置１は、テレビ１０に表示させる画像の色ノイズを低減させる。より具体的には、ノイズ低減装置１は、テレビ１０に表示させる映像コンテンツ（例えば、受信した放送番組）を構成する静止画像（以下、フレームと称する）において、ノイズを低減させる画素を決定するための、フレームの輝度に応じた閾値を決定する。そして、決定した閾値より小さい輝度を有する画素について、輝度を維持しながら、彩度を減少させることで色ノイズを低減させる。
【００１３】
なお、本実施形態では、ノイズ低減装置１は図２に示すテレビ１０に搭載されているものとして説明する。ただし、ノイズ低減装置１が搭載される機器はテレビジョン受像機に限定されない。ノイズ低減装置１は例えば、録画した映像を再生する再生装置（プレーヤー）、チューナを有しない表示装置（モニタ）、セットトップボックス、ケーブルテレビの放送、衛星放送などを受信するためのチューナなどに搭載されていてもよい。なお、上記再生装置は、放送番組を録画する録画装置と一体となっていてもよい。
【００１４】
（テレビ１０の要部構成）
次に、ノイズ低減装置１が搭載されたテレビ１０の要部構成について、図１に基づいて説明する。なお、図１は、テレビ１０が備えている部材のうち、本発明との関連性が高い部材のみを示す図である。また、本発明との関連性が低い部材については、図示および詳細な説明を省略する。
【００１５】
図示のように、テレビ１０は、放送ストリームを受信する放送受信部１１、テレビ１０の各部を統括して制御する制御部１２、テレビ１０にて使用する各種データを記憶する記憶部１３、および、放送番組の映像を表示する表示部１４を備えている。放送受信部１１は、例えば、地上デジタル放送、衛星放送などにより放送される放送番組を含む放送ストリームを受信する。また放送受信部１１は、例えばアンテナおよびチューナなどによって構成されている。
【００１６】
そして、制御部１２には、放送信号制御部１２１、輝度分布生成部１２２（最大値特定部）、輝度係数決定部１２３、彩度係数決定部１２４、色相係数決定部１２５、演算係数算出部１２６、彩度補正部１２７（彩度変更部）、および映像処理部１２８が含まれている。また、記憶部１３には、輝度係数決定情報１３１、輝度ルックアップテーブル１３２、彩度ルックアップテーブル１３３、および色相ルックアップテーブル１３４が記憶されている。なお、図１では、ルックアップテーブルをＬＵＴと表記しており、以降の説明においても、ルックアップテーブルをＬＵＴと表記する。
【００１７】
放送信号制御部１２１は、受信した放送ストリームに含まれる放送番組の各フレームの情報を、制御部１２の各部に出力する。具体的には、放送信号制御部１２１は、フレームの各画素の輝度を示す輝度情報ｄ１およびフレームの各画素の彩度および色相を示す色差情報ｄ２を彩度補正部１２７に出力する。また、放送信号制御部１２１は、輝度情報ｄ１を、輝度分布生成部１２２に出力する。また、放送信号制御部１２１は、色差情報ｄ２を、彩度係数決定部１２４および色相係数決定部１２５に出力する。
【００１８】
なお、放送信号制御部１２１は、色成分情報（具体的には、フレームの各画素の赤色成分、緑色成分、青色成分の値）を取得した場合、該色成分情報を輝度情報ｄ１および色差情報ｄ２に変換して、上述した制御部１２の各部に出力する。ここで、色成分情報を輝度情報ｄ１および色差情報ｄ２に変換する方法としては、公知の技術を用いることができる。
【００１９】
輝度分布生成部１２２は、取得した輝度情報ｄ１に基づき、フレームの輝度分布（輝度ヒストグラム）を生成する。例えば、輝度分布生成部１２２は、図３に示す輝度分布を生成する。図３は、輝度分布生成部１２２が生成する輝度分布の一例を示す図である。なお、輝度分布生成部１２２が生成する輝度分布は、図３の例に限定されない。また、輝度分布生成部１２２は、生成した輝度分布を参照して、受信したフレームにおける輝度の最大値であるフレーム輝度最大値Ｙｍａｘと、最小値であるフレーム輝度最小値Ｙｍｉｎとを特定し、輝度係数決定部１２３に出力する。
【００２０】
輝度係数決定部１２３は、テレビ１０が受信したフレームの輝度に応じた係数である輝度係数ＡＹ（第１の係数）を決定する。具体的には、輝度係数決定部１２３はまず、記憶部１３から輝度ＬＵＴ１３２を読み出す。輝度ＬＵＴ１３２には、輝度に対する輝度係数ＡＹの関数を示す情報が格納されており、例えば、図４の（ａ）に示す関数が格納されている。図４は、輝度ＬＵＴ１３２に格納されている関数の一例を示す図である。
【００２１】
図４の（ａ）に示すように、輝度ＬＵＴ１３２に格納されている関数によれば、輝度係数ＡＹは、輝度が０ｃｄ／ｍ２からＹ１ｃｄ／ｍ２までの範囲では最大値１．０をとり、Ｙ１ｃｄ／ｍ２からＹ２ｃｄ／ｍ２までの範囲では一次関数的に減少し、Ｙ２ｃｄ／ｍ２からの範囲では０となる。これは、本実施形態に係るノイズ低減装置１が、ノイズの低減対象のフレームにおいて低輝度とみなされる数値範囲（すなわち、０ｃｄ／ｍ２からＹ２ｃｄ／ｍ２、以下、低輝度の範囲と呼称する）に含まれる画素の色ノイズを低減することを目的としているためである。より具体的には、本実施形態に係るノイズ低減装置１は、０ｃｄ／ｍ２からＹ１ｃｄ／ｍ２までの範囲をノイズ低減範囲とみなし、画素の彩度を０にする。換言すれば、輝度係数ＡＹは、Ｙ１ｃｄ／ｍ２からＹ２ｃｄ／ｍ２の範囲（所定の輝度の範囲）において輝度が大きくなるほど小さくなる係数である。また、ノイズ低減装置１は、Ｙ１ｃｄ／ｍ２からＹ２ｃｄ／ｍ２までの範囲を調整範囲とみなし、輝度の値が大きくなるにつれて、輝度係数ＡＹを一次関数的に減少させる。この調整範囲を設けることにより、彩度を０とした画素と、彩度を減少させない画素との間における、彩度の急激な変化を抑えることができる。
【００２２】
続いて、輝度係数決定部１２３は、輝度ＬＵＴ１３２における値Ｙ１および値Ｙ２を決定し、フレームの各輝度における輝度係数ＡＹを決定する。具体的には、輝度係数決定部１２３は、記憶部１３から輝度係数決定情報１３１を読み出し、フレーム輝度最大値Ｙｍａｘと、読み出した輝度係数決定情報１３１とから、フレームにおける低輝度の範囲を定義する。
【００２３】
輝度係数決定情報１３１は、低輝度範囲決定係数Ｂ、ノイズ低減範囲決定情報、および調整範囲決定情報を含む。低輝度範囲決定係数Ｂは、ノイズ低減範囲および調整範囲を決定するための係数である。換言すれば、低輝度範囲決定係数Ｂはフレームにおける低輝度の範囲を定義するための係数である。本実施形態では、低輝度範囲決定係数Ｂ＝０．００５として説明するが、この例に限定されるものではない。ノイズ低減範囲決定情報は、値Ｙ１を決定するための情報である。本実施形態では、ノイズ低減範囲決定情報は演算式であり、Ｙ１＝Ｙｍａｘ×Ｂとして説明するが、ノイズ低減範囲決定情報は、値Ｙ１を決定することができる情報であればよく、この例に限定されない。調整範囲決定情報は、値Ｙ２を決定するための情報である。本実施形態では、調整範囲決定情報は演算式であり、Ｙ２＝Ｙ１×２として説明するが、調整範囲決定情報は、値Ｙ２を決定することができる情報であればよく、この例に限定されない。
【００２４】
例えば、フレーム輝度最大値Ｙｍａｘが１００ｃｄ／ｍ２であった場合、輝度係数決定部１２３は、値Ｙ１を０．５ｃｄ／ｍ２と決定し、また、値Ｙ２を１ｃｄ／ｍ２と決定する。そして、輝度係数決定部１２３は、輝度ＬＵＴ１３２に値Ｙ１、値Ｙ２、およびフレーム輝度最大値Ｙｍａｘを代入することで、受信したフレームの各画素の輝度に対する輝度係数ＡＹを決定する。図４の（ａ）に示すように、本実施形態に係る輝度係数ＡＹは、値Ｙ２以上の輝度の画素については０となる。ここで、本実施形態の値Ｙ２は、フレーム輝度最大値Ｙｍａｘに対して１％の輝度を示す値である。つまり本実施形態に係る輝度係数決定部１２３は、フレーム輝度最大値Ｙｍａｘに対して所定の割合以上の輝度を有する画素の輝度係数ＡＹを０にする。詳細については後述するが、ノイズ低減装置１は輝度係数ＡＹが０の画素については彩度を減少させない。換言すれば、ノイズ低減装置１は、値Ｙ２より小さい輝度を有する画素について彩度を減少させる。つまり輝度係数決定部１２３は、ノイズを低減させる画素を決定するための、画像の輝度に応じた第１の閾値（値Ｙ２）を決定する、と表現することもできる。
【００２５】
また、輝度係数決定部１２３は、画像の輝度における第２の閾値（値Ｙ１）をさらに決定し、ノイズ低減装置１は、輝度が０から値Ｙ１の範囲に含まれる画素については彩度を０とし、輝度が値Ｙ１から値Ｙ２の範囲に含まれる画素については、輝度が大きくなるほど彩度の減少度合いを小さくする、と表現することもできる。
【００２６】
最後に、輝度係数決定部１２３は、決定した輝度係数ＡＹを演算係数算出部１２６に出力する。
【００２７】
なお、輝度ＬＵＴ１３２に格納される関数は、図４の（ａ）の例に限定されない。例えば、図４の（ｂ）に示すように、値Ｙ１から値Ｙ２にかけて、二次関数的に減少していく関数であってもよい。つまり、輝度ＬＵＴ１３２に格納される関数において、値Ｙ１から値Ｙ２までの範囲は減衰関数であればよい。なお、該減衰関数を一次関数以外の関数とする場合、該減衰関数を用意するための演算プロセッサを使用できるように、ノイズ低減装置１を構成することが望ましい。また、輝度ＬＵＴ１３２に格納される関数は、輝度が増加するほど、輝度係数が階段状に減少していく（例えば、輝度が２増加するごとに輝度係数が小さくなる）関数であってもよい。
【００２８】
また、フレームが全体的に明るい場合（すなわち、フレーム輝度最小値Ｙｍｉｎとフレーム輝度最大値Ｙｍａｘとが大きい場合）、値Ｙ１もまた大きくなる。そのため、本来彩度を低減しなくてもよい画素まで、彩度を低減してしまうおそれがある。そこで、輝度係数決定部１２３は、フレーム輝度最小値Ｙｍｉｎが所定の値（例えば、５ｃｄ／ｍ２）を超える場合、輝度係数ＡＹを、フレームの画素の輝度に関わらず０としてもよい。これにより、フレームが全体的に明るい場合は、輝度に基づくノイズの低減処理が行われないので、過度に彩度を低減してしまうという状況を防ぐことができる。
【００２９】
彩度係数決定部１２４は、テレビ１０が受信したフレームの彩度に応じた係数である彩度係数ＡＳを決定する。具体的には、彩度係数決定部１２４は、放送信号制御部１２１から色差情報ｄ２を取得すると、まず、各画素の彩度Ｓを算出する。具体的には、彩度係数決定部１２４が取得した色差情報ｄ２には、青系統の彩度および色相を示す青系統色差Ｃｂと、赤系統の彩度および色相を示す赤系統色差Ｃｒとが含まれている。ここで、図５を参照して、彩度Ｓおよび色相Ｈと、青系統色差Ｃｂおよび赤系統色差Ｃｒとの関係を説明する。図５は、彩度Ｓおよび色相Ｈと、青系統色差Ｃｂおよび赤系統色差Ｃｒとの関係を示す平面座標である。図５に示すように、青系統色差Ｃｂ横軸、赤系統色差Ｃｒを縦軸とする平面を定義すると、ある色Ｐ（Ｃｂ，Ｃｒ）の彩度Ｓは原点Ｏと点Ｐとの距離（換言すれば、線分ＯＰの長さ）となり、色相Ｈは原点Ｏと横軸上の点Ｃｂを通る直線と、原点Ｏと点Ｐとを通る直線とのなす角の角度となる。つまり、図５に示すように、Ｈ＝０の場合、その画素の色相は青となり、Ｈ＝２２５の場合、その画素の色相は緑となる。
【００３０】
よって、彩度係数決定部１２４は、演算式Ｓ＝（Ｃｂ２＋Ｃｒ２）１／２に、取得した青系統色差Ｃｂおよび赤系統色差Ｃｒを代入することで、彩度Ｓを算出する。なお、この演算式は一例であり、彩度Ｓの算出方法はこの例に限定されない。例えば、演算式Ｓ＝｜Ｃｂ｜＋｜Ｃｒ｜に得した青系統色差Ｃｂおよび赤系統色差Ｃｒを代入することで、彩度Ｓを算出してもよい。なお、｜Ｃｂ｜および｜Ｃｒ｜はそれぞれ、青系統色差Ｃｂおよび赤系統色差Ｃｒの絶対値である。つまり、彩度Ｓは、青系統色差Ｃｂおよび赤系統色差Ｃｒの絶対値が大きいほど高くなるものであり、彩度Ｓの算出方法はこの関係が示せるような演算を行うものであればよい。
【００３１】
続いて、彩度係数決定部１２４は、記憶部１３から彩度ＬＵＴ１３３を読み出す。彩度ＬＵＴ１３３には、彩度Ｓに対する彩度係数ＡＳの関数を示す情報が格納されており、例えば、図６に示す関数が格納されている。図６は、彩度ＬＵＴ１３３に格納されている関数の一例を示す図である。彩度係数決定部１２４は、算出した彩度Ｓを該関数に代入し、受信したフレームの各画素の彩度に対する彩度係数ＡＳを決定する。そして、彩度係数決定部１２４は、決定した彩度係数ＡＳを演算係数算出部１２６に出力する。
【００３２】
なお、彩度ＬＵＴ１３３に格納される関数は、画素の彩度Ｓが大きいほど彩度係数ＡＳの値が大きくなるような関数であればよく、図６の例に限定されない。
【００３３】
色相係数決定部１２５は、テレビ１０が受信したフレームの色相に応じた係数である色相係数ＡＨを決定する。具体的には、色相係数決定部１２５は、放送信号制御部１２１から色差情報ｄ２を取得すると、まず、各画素の色相Ｈを求める。上述したように、色相Ｈは、図５の平面座標における、原点Ｏと横軸上の点Ｃｂを通る直線と、原点Ｏと点Ｐとを通る直線とのなす角の角度である。よって、色相係数決定部１２５は、演算式Ｈ＝ｔａｎ−１（Ｃｒ／Ｃｂ）に、青系統色差Ｃｂおよび赤系統色差Ｃｒを代入することで、色相Ｈを算出する。なお、この演算式は一例であり、色相Ｈの算出方法はこの例に限定されない。
【００３４】
続いて、色相係数決定部１２５は、記憶部１３から色相ＬＵＴ１３４を読み出す。色相ＬＵＴ１３４には、色相Ｈに対する色相係数ＡＨの関数を示す情報が格納されており、例えば、図７に示す関数が格納されている。図７は、色相ＬＵＴ１３４に格納されている関数の一例を示す図である。色相係数決定部１２５は、算出した色相Ｈを該関数に代入し、受信したフレームの各画素の色相に対する色相係数ＡＨを決定する。換言すれば、色相係数ＡＨは、フレームの各画素の色相に応じた、画素ごとの係数であると表現することもできる。そして、色相係数決定部１２５は、決定した色相係数ＡＨを演算係数算出部１２６に出力する。
【００３５】
なお、色相ＬＵＴ１３４に格納される関数は、図７の例に限定されない。図７に示す関数は、色相が青（Ｈ＝０）および黄（Ｈ＝９０）に近い場合において、ＡＨの値が大きくなっている。すなわち、図７に示す関数が色相ＬＵＴ１３４に格納されている場合、ノイズ低減装置１は、色相が青および黄に近い画素において、ノイズを低減する構成であると言える。なお、輝度が低輝度の範囲に含まれる画素においては、特に色相が青である画素における色ノイズが目立つ。そのため、図７に示す関数を色相ＬＵＴ１３４に格納することで、色ノイズが目立つ画素において、確実に色ノイズを低減するノイズ低減装置１を実現することができる。
【００３６】
演算係数算出部１２６は、輝度係数ＡＹ、彩度係数ＡＳ、および色相係数ＡＨを用いて、フレームの各画素の彩度を減少させるための演算係数ＡＴ（ノイズ低減係数）を算出する。具体的には、演算式ＡＴ＝ＡＹ×ＡＳ×ＡＨに、取得した輝度係数ＡＹ、彩度係数ＡＳ、および色相係数ＡＨを代入して、演算係数ＡＴを算出する。なお、上記の演算係数ＡＴを算出するための演算式は一例であり、この例に限定されるものではない。演算係数算出部１２６は、算出した演算係数ＡＴを彩度補正部１２７に出力する。
【００３７】
ここで、本実施形態に係る演算係数ＡＴは、輝度係数ＡＹに比例する係数である。つまり、本実施形態に係る演算係数ＡＴは輝度係数ＡＹが大きくなるほど大きい値となる。また、本実施形態に係る演算係数ＡＴは、彩度ＬＵＴ１３３に格納された関数（図６参照）に基づいて決定された彩度係数ＡＳ、および、色相ＬＵＴ１３４に格納された関数（図７参照）に基づいて決定された色相係数ＡＨに比例する係数である。つまり、本実施形態に係る演算係数ＡＴは、彩度が大きいほど大きい値となり、また、色相が青色および黄色に近いほど大きい値となる。
【００３８】
彩度補正部１２７は、演算係数ＡＴに基づいて、フレームの各画素のうち、輝度が低輝度の範囲に含まれる画素の彩度を減少させる。具体的には、映像処理部１２８は、放送信号制御部１２１から取得した色差情報ｄ２に含まれる青系統色差Ｃｂおよび赤系統色差Ｃｒと、演算係数算出部１２６から取得した演算係数ＡＴとから、補正後の（換言すれば、彩度を減少させた）青系統色差Ｃｂおよび赤系統色差Ｃｒである青系統色差Ｃｂ’および赤系統色差Ｃｒ’をそれぞれ算出する。より具体的には、演算式Ｃｂ’＝（１−ＡＴ）×Ｃｂ、および、演算式Ｃｒ’＝（１−ＡＴ）×Ｃｒに、取得した青系統色差Ｃｂ、赤系統色差Ｃｒ、および演算係数ＡＴを代入して、青系統色差Ｃｂ’および赤系統色差Ｃｒ’を算出する。そして、彩度補正部１２７は、算出した青系統色差Ｃｂ’および赤系統色差Ｃｒ’を映像処理部１２８に出力する。
【００３９】
ここで、彩度補正部１２７による彩度の補正について詳細に説明する。詳細については後述するが、映像処理部１２８は、彩度補正部１２７から取得した輝度情報ｄ１、青系統色差Ｃｂ’および赤系統色差Ｃｒ’に基づいたフレームを表示部１４に表示させる。上述したように、青系統色差Ｃｂ’および赤系統色差Ｃｒ’はそれぞれ、取得した青系統色差Ｃｂおよび赤系統色差Ｃｒに、１から演算係数ＡＴを減算した値を乗算することで求められる。ここで、上述したように、彩度Ｓは青系統色差Ｃｂおよび赤系統色差Ｃｒの絶対値が大きいほど高くなるものである（例えば、Ｓ＝（Ｃｂ２＋Ｃｒ２）１／２という演算式で算出される）。つまり彩度Ｓは、青系統色差および赤系統色差の値に応じて変化する値である。以上より、彩度補正部１２７が青系統色差Ｃｂおよび赤系統色差Ｃｒの値を、それぞれ青系統色差Ｃｂ’および赤系統色差Ｃｒ’に変更することにより、表示部１４に表示されるフレームの各画素の彩度は、受信したフレームの各画素の彩度から変更されることになる。
【００４０】
また、上述したように、演算係数ＡＴは、輝度係数ＡＹ、彩度係数ＡＳ、および色相係数ＡＨをかけあわせることによって算出される。すなわち、演算係数ＡＴは、輝度係数ＡＹ、彩度係数ＡＳ、および色相係数ＡＨのそれぞれの値が大きいほど、大きい値となる。ここで、輝度係数ＡＹ、彩度係数ＡＳ、および色相係数ＡＨはそれぞれ、０以上１以下の値であるため、演算係数ＡＴもまた０以上１以下の値となり、同様に（１−ＡＴ）も０以上１以下の値となる。よって、青系統色差Ｃｂ’および赤系統色差Ｃｒ’は、取得した青系統色差Ｃｂおよび赤系統色差Ｃｒと同じ値となる（演算係数ＡＴ＝０である場合）か、または、取得した青系統色差Ｃｂおよび赤系統色差Ｃｒより、その絶対値が小さくなる（０＜演算係数ＡＴ≦１である場合）。さらに、青系統色差Ｃｂ’および赤系統色差Ｃｒ’は、演算係数ＡＴが大きい値であるほど、その絶対値が小さくなる。つまり、青系統色差Ｃｂ’および赤系統色差Ｃｒ’に基づく彩度Ｓ（表示部１４に表示されるフレームにおける各画素の彩度Ｓ）は、演算係数ＡＴが大きい値であるほど小さくなるとともに、受信したフレームにおける各画素の彩度Ｓとの差が大きくなる（換言すれば、輝度係数ＡＹが大きい値であるほど、彩度Ｓの減少度合いが大きくなる）。
【００４１】
また、上述したように、本実施形態に係る輝度係数ＡＹは、各画素の輝度が低輝度の範囲（０ｃｄ／ｍ２からＹ２ｃｄ／ｍ２の範囲）に含まれない場合、その値が０となる。つまり、輝度が低輝度の範囲に含まれない画素については、演算係数ＡＴが０となるため、ノイズ低減装置１は画素の彩度を補正しない（彩度が減少しない）こととなる。つまり、本実施形態に係るノイズ低減装置１は、輝度が低輝度の範囲に含まれる画素の彩度のみを減少させる。
【００４２】
また、輝度情報ｄ１は、受信したフレームの輝度情報ｄ１がそのまま映像処理部１２８に出力される。そのため、表示部１４に表示されるフレームは、受信したフレームの各画素の輝度が維持されたものとなる。なお、放送信号制御部１２１は、輝度情報ｄ１を彩度補正部１２７ではなく、映像処理部１２８に出力してもよい。
【００４３】
さらに、青系統色差Ｃｂ’および赤系統色差Ｃｒ’は、いずれも、青系統色差Ｃｂおよび赤系統色差Ｃｒに（１−ＡＴ）を乗算することで算出されるため、Ｃｒ／Ｃｂ＝Ｃｒ’／Ｃｂ’が成立する。よって、表示部１４に表示されるフレームの各画素の色相は、受信したフレームの各画素の色相Ｈが維持されたものとなる。
【００４４】
映像処理部１２８は、取得した輝度情報ｄ１、青系統色差Ｃｂ’および赤系統色差Ｃｒ’に基づいたフレームを表示部１４に表示させる。これにより、表示部１４には、輝度が低輝度の範囲に含まれる画素において彩度が補正された（彩度が減少した）フレームが表示されることとなる。
【００４５】
以上より、本実施形態に係るノイズ低減装置１は、低輝度の画素で彩度を減少させるので、画素での色ノイズの発生を抑えることができる。また、ノイズ低減が必要な画素のみにノイズ低減の処理を行うことができる。また、各画素の輝度は維持されるので、輝度の低減によるぼやけた領域や黒潰れした領域の発生を抑えることができる。
【００４６】
（ノイズ低減処理の流れ）
次に、図８を参照して、ノイズ低減装置１が実行するノイズ低減処理の流れについて説明する。図８は、ノイズ低減装置１が実行するノイズ低減処理の流れの一例を示すフローチャートである。
【００４７】
まず、放送信号制御部１２１は、放送番組のフレームの受信を待機する（ステップＳ１、以下、「ステップ」を省略）。フレームを受信すると（Ｓ１でＹＥＳ）、放送信号制御部１２１は、輝度情報ｄ１および色差情報ｄ２を彩度補正部１２７に出力する。また、放送信号制御部１２１は、輝度情報ｄ１を、輝度分布生成部１２２に出力する。また、放送信号制御部１２１は、色差情報ｄ２を、彩度係数決定部１２４および色相係数決定部１２５に出力する。
【００４８】
続いて、輝度分布生成部１２２は、取得した輝度情報ｄ１を用いて輝度分布を生成する（Ｓ２）。そして、生成した輝度分布を参照して、フレーム輝度最大値Ｙｍａｘと、フレーム輝度最小値Ｙｍｉｎとを特定し、輝度係数決定部１２３に出力する。
【００４９】
続いて、輝度係数決定部１２３は、受信したフレームにおける低輝度の範囲を定義する（Ｓ３）。具体的には、輝度係数決定部１２３は、記憶部１３から読み出した輝度ＬＵＴ１３２に格納されている関数における値Ｙ１および値Ｙ２を、取得したフレーム輝度最大値Ｙｍａｘと、記憶部１３から読み出した低輝度範囲決定係数Ｂから算出し、低輝度の範囲（換言すれば、値Ｙ２の具体的な数値）を定義する。続いて、輝度係数決定部１２３は輝度係数ＡＹを決定する（Ｓ４）。具体的には、読み出した輝度ＬＵＴ１３２に格納されている関数に値Ｙ１、値Ｙ２、およびフレーム輝度最大値Ｙｍａｘを代入することで、受信したフレームの各画素の輝度に対する輝度係数ＡＹを決定する。なお、上述したように、低輝度の範囲に含まれない輝度に対する輝度係数ＡＹは０となる。輝度係数決定部１２３は、決定した輝度係数ＡＹを演算係数算出部１２６に出力する。
【００５０】
続いて、彩度係数決定部１２４は彩度係数ＡＳを決定する（Ｓ５）。具体的には、取得した色差情報ｄ２に含まれる青系統色差Ｃｂと赤系統色差Ｃｒとから彩度Ｓを算出し、記憶部１３から読み出した彩度ＬＵＴ１３３に格納されている関数に、算出した彩度Ｓを代入することで、受信したフレームの各画素の彩度に対する彩度係数ＡＳを決定する。彩度係数決定部１２４は、決定した彩度係数ＡＳを演算係数算出部１２６に出力する。
【００５１】
続いて、色相係数決定部１２５は色相係数ＡＨを決定する（Ｓ６）。具体的には、取得した色差情報ｄ２に含まれる青系統色差Ｃｂと赤系統色差Ｃｒとから色相Ｈを算出し、記憶部１３から読み出した色相ＬＵＴ１３４に格納されている関数に、算出した色相Ｈを代入することで、受信したフレームの各画素の色相に対する色相係数ＡＨを決定する。色相係数決定部１２５は、決定した色相係数ＡＨを演算係数算出部１２６に出力する。
【００５２】
なお、Ｓ４、Ｓ５、Ｓ６の処理は、Ｓ３の処理の後、Ｓ７の処理の前に実行されればよく、その順番は特に限定されない。また、Ｓ４、Ｓ５、Ｓ６の処理は同時に行われてもよい。
【００５３】
続いて、演算係数算出部１２６は、取得した輝度係数ＡＹ、彩度係数ＡＳ、および色相係数ＡＨから演算係数ＡＴを算出する（Ｓ７）。そして、演算係数算出部１２６は、算出した演算係数ＡＴを彩度補正部１２７に出力する。
【００５４】
続いて、彩度補正部１２７は、取得した演算係数を用いて、受信したフレームの彩度を補正する（Ｓ８、彩度変更ステップ）。具体的には、彩度補正部１２７は、演算式Ｃｂ’＝（１−ＡＴ）×Ｃｂ、および、演算式Ｃｒ’＝（１−ＡＴ）×Ｃｒに、取得した青系統色差Ｃｂ、赤系統色差Ｃｒ、および演算係数ＡＴを代入して、青系統色差Ｃｂ’および赤系統色差Ｃｒ’を算出する。そして、彩度補正部１２７は、取得した輝度情報ｄ１、算出した青系統色差Ｃｂ’および赤系統色差Ｃｒ’を映像処理部１２８に出力する。
【００５５】
最後に、映像処理部１２８は、補正後のフレームを表示部１４に表示させる（Ｓ９）。具体的には、映像処理部１２８は、取得した輝度情報ｄ１、青系統色差Ｃｂ’および赤系統色差Ｃｒ’に基づいたフレームを表示部１４に表示させる。これにより、表示部１４には、輝度が低輝度の範囲に含まれる画素において彩度が補正された（彩度が減少した）フレームが表示されることとなる。
【００５６】
（実施形態１の変形例）
上述した輝度係数決定情報１３１に含まれる低輝度範囲決定係数Ｂは、フレーム輝度最大値Ｙｍａｘによらず一定の値であったが、該低輝度範囲決定係数Ｂは、フレーム輝度最大値Ｙｍａｘに応じた値であってもよい。この変形例の詳細について、図９を参照して説明する。図９は、フレーム輝度最大値Ｙｍａｘに応じて変化する低輝度範囲決定係数Ｂについて説明するためのグラフである。本変形例に係るノイズ低減装置１の記憶部１３には、輝度係数決定情報１３１として、図９に示す関数を格納するＬＵＴが記憶されている。輝度係数決定部１２３は、該ＬＵＴを読み出し、図示の関数から、取得したフレーム輝度最大値Ｙｍａｘに対応する低輝度範囲決定係数Ｂを特定する。
【００５７】
なお、低輝度範囲決定係数Ｂを特定するための関数は図示の例に限定されるものではない。ただし、フレーム輝度最大値Ｙｍａｘの値が大きい場合であっても、色ノイズの発生が懸念される画素（換言すれば、輝度の値が小さい画素）のみにおいてノイズ低減処理を行うことができるようにするために、図示のように、フレーム輝度最大値Ｙｍａｘが所定値以上の場合、フレーム輝度最大値Ｙｍａｘが増加するにしたがって低輝度範囲決定係数Ｂが漸減するような関数とすることが望ましい。
【００５８】
〔実施形態２〕
本発明の他の実施形態について、図１０および図１１に基づいて説明すれば、以下のとおりである。なお、以降の実施形態においては、説明の便宜上、前記実施形態にて説明した部材と同じ機能を有する部材に同じ符号を付記し、その説明を省略する。
【００５９】
図１０は、本実施形態に係るテレビ１０ａの要部構成の一例を示すブロック図である。テレビ１０ａ（換言すれば、テレビ１０ａに搭載されたノイズ低減装置１ａ）は、放送ストリームがＨＤＲ（High Dynamic Range）信号である場合、該放送ストリームに含まれる、コンテンツ（放送番組）における最大輝度（コンテンツの輝度の最大値）を示す最大輝度情報（Maximum Content Light Level）を用いて、コンテンツのフレームごとに適切な低輝度の範囲を定義する。以下、その詳細について説明する。
【００６０】
図１０に示すように、テレビ１０ａは、制御部１２に代えて制御部１２ａを備えている。そして、制御部１２ａには、放送信号制御部１２１および輝度係数決定部１２３に代えて、放送信号制御部１２１ａおよび輝度係数決定部１２３ａがそれぞれ含まれている。
【００６１】
放送信号制御部１２１ａは、上述した放送信号制御部１２１の機能に加え、放送ストリームに含まれる最大輝度情報ｄ３を輝度係数決定部１２３ａに出力する。なお、本実施形態では、最大輝度情報ｄ３は、コンテンツ中で最も高い輝度を示す情報であるものとして説明する。つまり本実施形態では、最大輝度情報ｄ３は、１コンテンツに対して１つの値となる。また、最大輝度情報ｄ３は、コンテンツにおける最初のフレームに含まれる情報である。よって、放送信号制御部１２１ａは、コンテンツにおける最初のフレームを取得したとき、該フレームに含まれる最大輝度情報ｄ３を、輝度係数決定部１２３ａに出力する。
【００６２】
なお、最大輝度情報ｄ３は、１コンテンツに対して１つの値でなくてもよい。例えば、最大輝度情報ｄ３は、コンテンツをいくつかのセグメントに分割したときの、各セグメントにおける最も高い輝度を示す情報であってもよい。この場合、最大輝度情報ｄ３は、１コンテンツに対してセグメントの数だけ存在することとなる。またこの場合、最大輝度情報ｄ３は、各セグメントにおける最初のフレームに含まれる。
【００６３】
また例えば、最大輝度情報ｄ３は、各フレームにおける最も高い輝度を示す情報であってもよい。この場合、最大輝度情報ｄ３は、１コンテンツに対してフレームの数だけ存在することとなる。またこの場合、最大輝度情報ｄ３は各フレームに含まれる。なお、最大輝度情報ｄ３が各フレームにおける最も高い輝度を示す情報である場合、該最大輝度情報ｄ３とフレーム輝度最大値Ｙｍａｘとは同じ値となる可能性が高い。ただし、最大輝度情報ｄ３はコンテンツの送信側において設定された値であるのに対し、フレーム輝度最大値Ｙｍａｘは、ノイズ低減装置１ａにおいて生成された輝度分布における最も高い輝度（つまり、コンテンツの受信側において特定された値）であるため、異なる値となる場合もある。なお以降、最大輝度情報ｄ３を最大輝度値ＭａｘＣＬＬと表記する場合がある。
【００６４】
輝度係数決定部１２３ａは、輝度係数決定部１２３と以下の点で相違する。すなわち、輝度係数決定部１２３ａは、取得した最大輝度情報ｄ３およびフレーム輝度最大値Ｙｍａｘに応じて、記憶部１３から読み出した低輝度範囲決定係数Ｂを補正する（補正後の低輝度範囲決定係数Ｂ’を算出する）。具体的には、輝度係数決定部１２３ａは、演算式Ｂ’＝Ｙｍaｘ／ＭａｘＣＬＬ×Ｂに、取得した最大輝度値ＭａｘＣＬＬ、フレーム輝度最大値Ｙｍａｘ、および、記憶部１３から読み出した低輝度範囲決定係数Ｂを代入することで、補正後の低輝度範囲決定係数Ｂ’を算出する。
【００６５】
そして、算出した低輝度範囲決定係数Ｂ’を用いて、値Ｙ１および値Ｙ２を算出する。なお、値Ｙ１および値Ｙ２の具体的な算出方法については、実施形態１にて説明しているため、ここでの説明を省略する。
【００６６】
このように、最大輝度情報ｄ３およびフレーム輝度最大値Ｙｍａｘに応じて低輝度範囲決定係数Ｂを補正することにより、コンテンツ中における比較的暗いシーンのフレームにおいて、低輝度の範囲の定義を変更することができる。これについて、図１１を参照して説明する。図１１は、最大輝度情報ｄ３（すなわち、最大輝度値ＭａｘＣＬＬ）とフレーム輝度最大値Ｙｍａｘとの比率（すなわち、Ｙｍaｘ／ＭａｘＣＬＬ）の違いに応じた、低輝度の範囲の違いを示す図である。
【００６７】
図１１の（ａ）は、Ｙｍaｘ／ＭａｘＣＬＬ＝１の場合、すなわち、このフレームにおけるフレーム輝度最大値Ｙｍａｘが、コンテンツにおける最大輝度と等しい場合における、輝度に対する輝度係数ＡＹを示す図である。この例において、低輝度範囲決定係数Ｂ＝０．００５の場合、低輝度範囲決定係数Ｂ’も０．００５となるので、値Ｙ２の演算式が実施形態１と同じであるとすると、低輝度の範囲は、フレーム輝度最大値Ｙｍａｘに対して０〜１％の輝度の範囲となる。
【００６８】
一方で、フレーム輝度最大値Ｙｍａｘが、コンテンツにおける最大輝度より小さい場合において、低輝度の範囲を、フレーム輝度最大値Ｙｍａｘに対して０〜１％の輝度の範囲とすると、ノイズ低減の必要のない画素に対してノイズ低減が行われるおそれがある。そこで、本実施形態に係るノイズ低減装置１ａは、フレーム輝度最大値Ｙｍａｘがコンテンツにおける最大輝度より小さい場合に低輝度の範囲をさらに狭める。これにより、ノイズ低減が必要な画素に対してのみノイズ低減を行うことができる。この具体例を図１１の（ｂ）に示す。図１１の（ｂ）は、Ｙｍaｘ／ＭａｘＣＬＬ＝０．５の場合、すなわち、このフレームにおけるフレーム輝度最大値Ｙｍａｘがコンテンツにおける最大輝度に比べて半分の場合における、輝度に対する輝度係数ＡＹを示す図である。この例において、低輝度範囲決定係数Ｂ’＝０．５×０．００５＝０．００２５となるので、低輝度の範囲は、フレーム輝度最大値Ｙｍａｘに対して０〜０．５％の輝度の範囲となる。なお、本実施形態に係る低輝度範囲決定係数Ｂ’（所定の割合）は、フレーム輝度最大値Ｙｍａｘと最大輝度値ＭａｘＣＬＬとの差が大きい場合に小さくなり、小さい場合に大きくなると表現することもできる。
【００６９】
以上のように、本実施形態に係るノイズ低減装置１ａは、最大輝度値ＭａｘＣＬＬとフレーム輝度最大値Ｙｍａｘとの比率（Ｙｍaｘ／ＭａｘＣＬＬ）に応じて低輝度範囲決定係数Ｂを補正する。これにより、フレームごとに適切な低輝度の範囲が定義されるので、ノイズ低減が必要な画素に対してのみノイズ低減を行うことができる。
【００７０】
（実施形態２の変形例）
上述した輝度係数決定部１２３ａは、最大輝度値ＭａｘＣＬＬを、低輝度範囲決定係数Ｂを補正するために使用していたが、最大輝度値ＭａｘＣＬＬの使用方法はこの例に限定されない。例えば、輝度係数決定部１２３ａは、最大輝度値ＭａｘＣＬＬを、フレーム輝度最大値Ｙｍａｘの代わりに使用して、値Ｙ１および値Ｙ２を算出してもよい。この例の場合、値Ｙ１を算出するための演算式が、Ｙ１＝ＭａｘＣＬＬ×Ｂとなる。
【００７１】
また、ノイズ低減装置１ａは、最大輝度情報ｄ３に代えて、放送ストリームに含まれる、コンテンツにおける平均輝度（コンテンツの輝度の平均値）を示す平均輝度情報（Maximum Frame Average Light Level、以降、平均輝度情報を、平均輝度値ＭａｘＦＡＬＬと呼称する場合がある）を用いて、コンテンツのフレームごとに適切な低輝度の範囲を定義してもよい。なお、この場合の輝度係数決定部１２３ａが実行する具体的な処理は、上述した処理において、最大輝度値ＭａｘＣＬＬが平均輝度値ＭａｘＦＡＬＬに置き換わる他は、上述した処理と同様であるため、ここでの説明を省略する。
【００７２】
また、ノイズ低減装置１ａは、最大輝度情報ｄ３に代えて、放送ストリームに含まれる、コンテンツ作成者がコンテンツ作成の際に用いられたモニタ（表示装置）における最大輝度を示すコンテンツ作成時最大輝度情報（Max Display Mastering Luminance）を用いて、コンテンツのフレームごとに適切な低輝度の範囲を定義してもよい。なお、この場合の輝度係数決定部１２３ａが実行する具体的な処理は、上述した処理において、最大輝度値ＭａｘＣＬＬが、コンテンツ作成時最大輝度情報における値に置き換わる他は、上述した処理と同様であるため、ここでの説明を省略する。
【００７３】
〔実施形態３〕
本発明のさらに別の実施形態について、図１２から図１４に基づいて説明すれば、以下のとおりである。
【００７４】
図１２は、本実施形態に係るテレビ１０ｂの要部構成の一例を示すブロック図である。テレビ１０ｂ（換言すれば、テレビ１０ｂに搭載されたノイズ低減装置１ｂ）は、ユーザがテレビ１０ｂのリモートコントローラ（以下、リモコン２０と呼称する）などを用いて入力した入力信号に応じて（換言すれば、ユーザ操作に応じて）、低輝度範囲決定係数Ｂや演算係数ＡＴを補正する。以下、その詳細について説明する。
【００７５】
図１２に示すように、テレビ１０ｂは、制御部１２に代えて制御部１２ｂを備えている。また、テレビ１０ｂは、新たに、リモコン２０から送信された信号（以下、リモコン信号と呼称する）を受信するリモコン受信部１５を備えている。そして、制御部１２ｂには、放送信号制御部１２１、輝度係数決定部１２３、演算係数算出部１２６、および映像処理部１２８に代えて、放送信号制御部１２１ｂ、輝度係数決定部１２３ｂ、演算係数算出部１２６ｂ、映像処理部１２８ｂがそれぞれ含まれている。また、制御部１２ｂには、新たにリモコン信号制御部１２９が含まれている。なお、放送信号制御部１２１ｂは、実施形態２にて説明した放送信号制御部１２１ａと同様の構成であるため、ここでの説明を省略する。
【００７６】
リモコン信号制御部１２９は、リモコン受信部１５からリモコン信号を取得すると、該リモコン信号に含まれる操作指示を特定し、輝度係数決定部１２３ｂまたは演算係数算出部１２６ｂに出力する。具体的には、リモコン信号制御部１２９は、特定した操作指示が低輝度範囲決定係数Ｂの補正指示ｄ４であった場合、該補正指示ｄ４を輝度係数決定部１２３ｂに出力する。また、リモコン信号制御部１２９は、特定した操作指示が演算係数ＡＴの補正指示ｄ５であった場合、該補正指示ｄ５を演算係数算出部１２６ｂに出力する。
【００７７】
また、リモコン信号制御部１２９は、特定した操作指示が、低輝度範囲決定係数Ｂや演算係数ＡＴを補正するためのユーザインターフェース（以下、ＵＩと呼称する）を表示部１４に表示させるＵＩ表示指示ｄ６であった場合、該ＵＩ表示指示ｄ６を映像処理部１２８ｂに出力する。
【００７８】
輝度係数決定部１２３ｂは、輝度係数決定部１２３と以下の点で相違する。すなわち、輝度係数決定部１２３ｂは、読み出した低輝度範囲決定係数Ｂを、取得した補正指示ｄ４に従って補正する。例えば、補正指示ｄ４が低輝度範囲決定係数を２倍する指示であった場合、輝度係数決定部１２３ｂは、該指示に応じて低輝度範囲決定係数Ｂを２倍した低輝度範囲決定係数Ｂ”を算出し、この低輝度範囲決定係数Ｂ”に基づいて輝度係数ＡＹを決定する。
【００７９】
なお、輝度係数決定部１２３ｂは、実施形態２にて説明した輝度係数決定部１２３ａのように、取得した最大輝度値ＭａｘＣＬＬおよびフレーム輝度最大値Ｙｍａｘを用いて、低輝度範囲決定係数Ｂ’を補正する構成であってもよい。この例の場合、輝度係数決定部１２３ｂは、低輝度範囲決定係数Ｂ’を取得した補正指示ｄ４に従ってさらに補正する。
【００８０】
なお、補正指示ｄ４は、低輝度の範囲を変化させる（補正する）ための指示であればよく、該指示によって補正される値は低輝度範囲決定係数Ｂに限定されない。例えば、輝度係数決定部１２３ｂは、補正指示ｄ４に従って、最大輝度値ＭａｘＣＬＬを補正してもよい。
【００８１】
演算係数算出部１２６ｂは、演算係数算出部１２６と以下の点で相違する。すなわち、演算係数算出部１２６ｂは、算出した演算係数ＡＴを、取得した補正指示ｄ５に従って補正する。例えば、補正指示ｄ５が演算係数ＡＴを０．５倍する指示であった場合、演算係数算出部１２６ｂは、該指示に応じて演算係数ＡＴを０．５倍した演算係数演算係数ＡＴ’を算出し、この演算係数演算係数ＡＴ’を彩度補正部１２７に出力する。
【００８２】
映像処理部１２８ｂは、映像処理部１２８と以下の点で相違する。すなわち、映像処理部１２８ｂは、リモコン信号制御部１２９からＵＩ表示指示ｄ６を取得すると、表示部１４に低輝度範囲決定係数Ｂや演算係数ＡＴを補正するためのＵＩを表示させる。該ＵＩは、低輝度範囲決定係数Ｂや演算係数ＡＴの補正を受け付けることができるものであれば特に限定されないが、例えば、図１３に示すものであってもよい。図１３は、表示部１４に表示されるＵＩの一例を示す図である。
【００８３】
例えば、映像処理部１２８ｂは、図１３の（ａ）に示すように、低輝度範囲決定係数Ｂ（または最大輝度値ＭａｘＣＬＬ）を補正するための入力を受け付けるＵＩ１４１を表示部１４に表示させてもよい。具体的には、ＵＩ１４１は、ユーザがリモコン２０を操作したことに応じて、ハンドル部４１１（ＵＩ１４１の円形部分）が、スライダ部４１２（ＵＩ１４１の長方形部分）上を移動するスライダである。なおここでは、ＵＩ１４１は、ユーザがリモコン２０を操作したことに応じて、ハンドル部４１１がスライダ部４１２の下限表示４１３（「０」というテキスト）に対応する位置（すなわち、図１３の（ａ）におけるスライダ部４１２の左端）から、上限表示４１４（「＋１０」というテキスト）に対応する位置（すなわち、図１３の（ａ）におけるスライダ部４１２の右端）の間の１１箇所のいずれかの位置に移動するものとして説明するが、この例に限定されるものではない。換言すれば、下限表示４１３は、スライダ部４１２の下限の位置を示す表示であり、上限表示４１４は、スライダ部４１２の上限の位置を示す表示である。また、表示部１４には、ユーザが図１３の（ａ）に示す画面が表示されているときにリモコン２０を操作することにより実行される処理を示す「暗部ノイズ低減」というテキストが表示されている。
【００８４】
リモコン信号制御部１２９は、ＵＩ１４１のハンドル部４１１が、スライダ部４１２の図１３の（ａ）における左端から右端、換言すれば、スライダ部４１２における、下限表示４１３（「０」というテキスト）に対応する位置から上限表示４１４（「＋１０」というテキスト）に対応する位置の間のいずれかの位置に移動したことをリモコン信号として取得したとき、該位置に応じて低輝度範囲決定係数Ｂを補正する旨の指示を補正指示ｄ４として輝度係数決定部１２３ｂに出力する。具体的には、リモコン信号制御部１２９は、記憶部１３に記憶されている、スライダ部４１２におけるハンドル部４１１の位置を示す値に対する低輝度範囲決定係数Ｂの変化量（換言すれば、低輝度範囲決定係数Ｂを何倍するかを示す値）の関数を格納したＬＵＴ（不図示）を読み出す。そして、該関数に、スライダ部４１２におけるハンドル部４１１の位置を示す値を代入して、低輝度範囲決定係数Ｂの変化量を特定する。該関数は例えば、スライダ部４１２におけるハンドル部４１１の位置が、スライダ部４１２における下限表示４１３（「０」というテキスト）に対応する位置であることを示す値のときに、低輝度範囲決定係数Ｂの変化量が０倍となり、ハンドル部４１１の位置がスライダ部４１２における上限表示４１４（「＋１０」というテキスト）に対応する位置であることを示す値のときに、低輝度範囲決定係数Ｂの変化量が２倍となるような一次関数であってもよい。なお、ここで説明した関数は一例であり、この例に限定されるものではない。
【００８５】
また例えば、映像処理部１２８ｂは、図１３の（ｂ）に示すように、低輝度範囲決定係数Ｂ（または最大輝度値ＭａｘＣＬＬ）を補正するための入力を受け付けるＵＩ１４２と、演算係数ＡＴを補正するための入力を受け付けるＵＩ１４３とを表示部１４に表示させてもよい。ＵＩ１４２およびＵＩ１４３は、上述したＵＩ１４１と同様に、ユーザがリモコン２０を操作したことに応じて、ハンドル部４１１がスライダ部４１２における１１箇所のいずれかの位置に移動するスライダであるとして説明するが、この例に限定されるものではない。
【００８６】
なお、ＵＩ１４２は、下限表示４１３として「狭い」というテキストを含み、また、上限表示４１４として「広い」というテキストを含む。また、ＵＩ１４２は、スライダ部４１２の中心に対応する位置を示す中間表示４１５（「中」というテキスト）をさらに含む。一方、ＵＩ１４３は、下限表示４１３として「小」というテキストを含み、また、上限表示４１４として「大」というテキストを含む。また、ＵＩ１４３は、ＵＩ１４２と同様に、中間表示４１５として「中」というテキストを含む。また、表示部１４には、ユーザが図１３の（ｂ）に示す画面が表示されているときにリモコン２０を操作することにより実行される処理を示す「低減領域」および「低減量」というテキストが、それぞれＵＩ１４２およびＵＩ１４３に隣接して表示されている。
【００８７】
リモコン信号制御部１２９は、ＵＩ１４２のハンドル部４１１がスライダ部４１２の図１３の（ｂ）における左端から右端、換言すれば、スライダ部４１２における、下限表示４１３（「狭い」というテキスト）に対応する位置から上限表示４１４（「広い」というテキスト）に対応する位置の間のいずれかの位置に移動したことをリモコン信号として取得したとき、該位置に応じて低輝度範囲決定係数Ｂを補正する旨の指示を補正指示ｄ４として輝度係数決定部１２３ｂに出力する。この処理については、上述したＵＩ１４１のハンドル部４１１がスライダ部４１２上を移動したことをリモコン信号として取得したときの処理と同様であるため、ここでの説明を省略する。
【００８８】
また、リモコン信号制御部１２９は、ＵＩ１４３のハンドル部４１１がスライダ部４１２の図１３の（ｂ）における左端から右端、換言すれば、スライダ部４１２における、下限表示４１３（「小」というテキスト）に対応する位置から上限表示４１４（「大」というテキスト）に対応する位置の間のいずれかの位置に移動したことをリモコン信号として取得したとき、該位置に応じて演算係数ＡＴを補正する旨の指示を補正指示ｄ５として演算係数算出部１２６に出力する。具体的には、リモコン信号制御部１２９は、記憶部１３に記憶されている、スライダ部４１２におけるハンドル部４１１の位置を示す値に対する演算係数ＡＴの変化量（換言すれば、演算係数ＡＴを何倍するかを示す値）の関数を格納したＬＵＴ（不図示）を読み出す。そして、該関数に、スライダ部４１２におけるハンドル部４１１の位置を示す値を代入して、演算係数ＡＴの変化量を特定する。該関数は例えば、スライダ部４１２におけるハンドル部４１１の位置が、スライダ部４１２における下限表示４１３（「小」というテキスト）に対応する位置であることを示す値のときに、演算係数ＡＴの変化量が１倍となり、ハンドル部４１１の位置が、スライダ部４１２における上限表示４１４（「大」というテキスト）に対応する位置であることを示す値のときに、演算係数ＡＴの変化量が０．１倍となるような一次関数であってもよい。なお、ここで説明した関数は一例であり、この例に限定されるものではない。
【００８９】
なお、リモコン信号制御部１２９は、リモコン受信部１５から取得したリモコン信号を、そのまま輝度係数決定部１２３ｂ、演算係数算出部１２６ｂ、または映像処理部１２８ｂに出力する構成であってもよい。この例の場合、リモコン信号制御部１２９は、取得したリモコン信号の出力先を決定し、該リモコン信号を決定した出力先に出力する。また、輝度係数決定部１２３ｂおよび演算係数算出部１２６ｂは、該リモコン信号に応じて低輝度範囲決定係数Ｂまたは演算係数ＡＴを補正する。また、映像処理部１２８ｂは、該リモコン信号に応じたＵＩを表示部１４に表示させる。
【００９０】
また、本実施形態では、ユーザの入力操作を受け付ける部材として、リモコン２０およびリモコン受信部１５を例に挙げて説明したが、ユーザの入力操作を受け付ける部材はこの例に限定されない。例えば、テレビ１０ｂに設けられた物理ボタンであってもよいし、表示部１４に重畳して設けられたタッチパネルであってもよい。また、リモコン２０は図１３に示すように物理ボタンのみを有するものであってもよいし、物理ボタンの他に、または、物理ボタンに代えてタッチパネルを有するものであってもよい。
【００９１】
（実施形態３の変形例）
本実施形態に係るテレビ１０ｂは、ユーザにコンテンツの表示モードを選択させ、ユーザが選択した表示モードに応じて、低輝度範囲決定係数Ｂまたは最大輝度値ＭａｘＣＬＬを補正してもよい。この例の場合、映像処理部１２８ｂは、コンテンツの表示モードをユーザに選択させるためのＵＩを表示部１４に表示させてもよい。該ＵＩは、ユーザがコンテンツの表示モードを選択することができるものであれば特に限定されないが、例えば、図１４に示すものであってもよい。図１４は、表示部１４に表示されるＵＩの別の例を示す図である。なお、本変形例では、最大輝度値ＭａｘＣＬＬを補正する例を説明する。
【００９２】
図１４に示すＵＩ１４４ａ、ＵＩ１４４ｂ、およびＵＩ１４４ｃは、コンテンツの表示モードの変更を受け付けるためのＵＩである。なお以降、ＵＩ１４４ａ、ＵＩ１４４ｂ、およびＵＩ１４４ｃを区別する必要が無い場合、これらをＵＩ１４４と呼称する。また、表示部１４には、ユーザが図１４に示す画面が表示されているときにリモコン２０を操作することにより実行される処理を示す「表示モード選択」というテキストが表示されている。
【００９３】
ユーザは、図示のようにリモコン２０を操作して、「標準モード」、「ダイナミックモード」、および「映画モード」から、望みの表示モードを選択する。ここで、これらのモードについて簡単に説明する。「ダイナミックモード」は、コンテンツが鮮やかに表示されるように（具体的には、各画素の彩度を上げるように）映像処理を行うモードであり、コンテンツがスポーツ中継の映像や音楽のライブの映像などである場合に適しているモードである。「映画モード」は、コンテンツの鮮やかさを抑えるように（具体的には、各画素の彩度を下げるように）映像処理を行うモードであり、コンテンツが映画などである場合に適しているモードである。「標準モード」は、テレビ１０ｂにおいてコンテンツに応じた映像処理を行わないモードである。なお、ここで説明するコンテンツの表示モードは一例であり、コンテンツの表示モードはこの例に限定されるものではない。
【００９４】
リモコン信号制御部１２９は、いずれの表示モードを選択したかを示すリモコン信号を取得すると、取得したリモコン信号に応じて、最大輝度値ＭａｘＣＬＬの変化量（換言すれば、最大輝度値ＭａｘＣＬＬを何倍するかを示す値）を変更する。具体的には、「標準モード」を選択したことを示すリモコン信号を取得すると、リモコン信号制御部１２９は、最大輝度値ＭａｘＣＬＬの変化量を１倍とする補正指示ｄ４を輝度係数決定部１２３ｂに出力する。なお、「標準モード」が選択された場合、最大輝度値ＭａｘＣＬＬは変化しないので、リモコン信号制御部１２９は補正指示ｄ４を出力しない構成であってもよい。
【００９５】
また、「ダイナミックモード」を選択したことを示すリモコン信号を取得すると、リモコン信号制御部１２９は、最大輝度値ＭａｘＣＬＬの変化量を１．５倍とする補正指示ｄ４を輝度係数決定部１２３ｂに出力する。これは、ダイナミックモードが各画素の彩度を上げるように映像処理を行うモードであるので、色ノイズが強調される可能性が高いためである。つまり、上述したように最大輝度値ＭａｘＣＬＬを１．５倍して低輝度の範囲（すなわち、彩度を減少させる補正を行う範囲）を拡大するので、「ダイナミックモード」にしたことで色ノイズが発生することが懸念される画素（換言すれば、最大輝度値ＭａｘＣＬＬを補正したことによって新たに低輝度の範囲に含まれた画素）について、色ノイズを抑えることができる。
【００９６】
また、「映画モード」を選択したことを示すリモコン信号を取得すると、リモコン信号制御部１２９は、最大輝度値ＭａｘＣＬＬの変化量を０．５倍とする補正指示ｄ４を輝度係数決定部１２３ｂに出力する。これは、映画モードが各画素の彩度を下げるように映像処理を行うモードであるので、低輝度の範囲を補正しない場合、ノイズ低減の必要が無い画素に対しても彩度を減少させてしまうおそれがあるためである。つまり、上述したように最大輝度値ＭａｘＣＬＬを０．５倍して低輝度の範囲（すなわち、彩度を減少させる補正を行う範囲）を縮小するので、コンテンツにおける過補正を防ぐことができる。なお、ここで説明した最大輝度値ＭａｘＣＬＬの変化量は一例であり、この例に限定されるものではない。
【００９７】
（その他の変形例）
上述した各実施形態に係る輝度係数決定部１２３、輝度係数決定部１２３ａ、輝度係数決定部１２３ｂ（以降、これらを区別する必要のない場合、輝度係数決定部１２３と呼称する）は、コンテンツに応じて低輝度範囲決定係数Ｂまたは最大輝度値ＭａｘＣＬＬを補正してもよい。具体的には、輝度係数決定部１２３は、放送信号制御部１２１からコンテンツの種類を示す情報（例えば、映画、スポーツ中継、ドラマなど）を取得し、該情報に応じて低輝度範囲決定係数Ｂまたは最大輝度値ＭａｘＣＬＬを補正する。例えば、該情報が、コンテンツが映画であることを示す情報であった場合、最大輝度値ＭａｘＣＬＬを０．５倍する。また例えば、該情報が、コンテンツがスポーツ中継であることを示す情報であった場合、最大輝度値ＭａｘＣＬＬを１．５倍する。なお、輝度係数決定部１２３は、コンテンツの種類を示す情報を、ＥＰＧ（Electronic Program Guide；電子番組ガイド）から取得してもよい。
【００９８】
また、上述した各実施形態に係る演算係数算出部１２６、演算係数算出部１２６ｂ（以降、これらを区別する必要のない場合、演算係数算出部１２６と呼称する）は、輝度係数ＡＹ、彩度係数ＡＳ、および色相係数ＡＨを用いて演算係数ＡＴを算出していたが、この例に限定されない。具体的には、演算係数算出部１２６は、少なくとも輝度係数ＡＹを用いて演算係数ＡＴを決定すればよい。なお、輝度係数ＡＹのみを用いる場合、演算係数算出部１２６は、取得した輝度係数ＡＹを演算係数ＡＴとして彩度補正部１２７に出力する。
【００９９】
〔ソフトウェアによる実現例〕
ノイズ低減装置１、１ａ、１ｂの制御ブロック（特に制御部１２、１２ａ、１２ｂに含まれる各部）は、集積回路（ＩＣチップ）等に形成された論理回路（ハードウェア）によって実現してもよいし、ＣＰＵ（Central Processing Unit）を用いてソフトウェアによって実現してもよい。
【０１００】
後者の場合、ノイズ低減装置１、１ａ、１ｂは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１０１】
〔まとめ〕
本発明の態様１に係る表示制御装置（ノイズ低減装置１）は、表示させる画像の輝度に応じた第１の閾値であって、該第１の閾値に応じた輝度よりも小さい輝度を有する画素について、輝度を維持しながら彩度を減少させる彩度変更部（彩度補正部１２７）を備える。
【０１０２】
上記の構成によれば、第１の閾値より輝度が小さい画素について、彩度を減少させる。換言すれば、輝度が第１の閾値以上の画素については彩度を減少させない。よって、画像の低輝度領域のみ彩度を減少させることができる。低輝度領域の画素の彩度が減少すると、周囲の画素との色の違いが目立たなくなる。よって、画像の低輝度領域に発生した色ノイズを目立たなくなる。よって、画像の低輝度領域に発生した色ノイズを目立たなくすることができ、結果的に色ノイズを低減することができる。また、上記の構成によれば、彩度を減少させた画素の輝度は維持されるので、画像の情報量を低下させることなく、色ノイズを低減することができる。
【０１０３】
本発明の態様２に係る表示制御装置は、上記態様１において、上記画像の輝度の最大値を特定する最大値特定部（輝度分布生成部１２２）をさらに備え、上記第１の閾値は、上記最大値に対して所定の割合となる値であってもよい。
【０１０４】
上記の構成によれば、第１の閾値は画像の輝度の最大値に対して所定の割合となる値である。これにより、画像の輝度の最大値に応じて閾値を変化させることができるので、各画像において適切な低輝度領域を設定することができる。よって、各画像において適切な画素のみにおいて色ノイズを低減することができる。
【０１０５】
本発明の態様３に係る表示制御装置は、上記態様２において、上記所定の割合は、上記画像の輝度の最大値と、上記画像を含むコンテンツに予め設定された、該コンテンツの輝度の最大値との差が大きい場合に小さくなり、小さい場合に大きくなってもよい。
【０１０６】
上記の構成によれば、所定の割合は、画像の輝度の最大値と、コンテンツの輝度の最大値との差が大きい場合に小さくなり、小さい場合に大きくなる。これにより、ノイズの低減対象の画像が、コンテンツにおいて暗いシーンの画像であるか、または明るいシーンの画像であるかに応じて、ノイズの低減対象（換言すれば彩度の低減対象）の画素を変えることができる。これにより、画像において最適なノイズの低減を行うことができる。
【０１０７】
本発明の態様４に係る表示制御装置は、上記態様２または３において、上記所定の割合は、ユーザ操作に応じて変更されてもよい。
【０１０８】
上記の構成によれば、ユーザ操作に応じて所定の割合が変更されるので、ユーザ操作に応じてノイズの低減対象（換言すれば彩度の低減対象）の画素を変えることができる。これにより、ノイズの低減対象の画素をユーザにとって望ましいものとすることができる。
【０１０９】
本発明の態様５に係る表示制御装置は、上記態様４において、上記所定の割合を変更するためのユーザインターフェースを表示装置に表示させてもよい。
【０１１０】
上記の構成によれば、所定の割合を変更するためのユーザインターフェースが表示装置に表示されるので、ユーザは、所定の割合の変更度合いを確認することができる。よって、ユーザにとって利用しやすい表示制御装置を実現することができる。
【０１１１】
本発明の態様６に係る表示制御装置は、上記態様１から５のいずれかにおいて、上記彩度変更部は、輝度が０から、上記画像の輝度に応じた閾値であって上記第１の閾値より値が小さい第２の閾値の範囲に含まれる画素の彩度を０とし、輝度が上記第２の閾値から上記第１の閾値の範囲に含まれる画素の彩度の減少度合いを、輝度が大きくなるほど小さくしてもよい。
【０１１２】
上記の構成によれば、輝度が０から第２の閾値の範囲に含まれる画素については彩度が０となるので、低輝度領域のうちでもさらに低輝度の領域（換言すれば、色ノイズがより目立つ領域）の色ノイズを適切に低減することができる。また、輝度が第２の閾値から第１の閾値の範囲に含まれる画素については、彩度の減少度合いを輝度が大きくなるほど小さくするので、輝度の違いが小さい画素の間、特に輝度が第２の閾値周辺の値となる画素の間での、彩度の急激な変化を抑えることができる。
【０１１３】
本発明の態様７に係る表示制御装置は、上記態様１から６のいずれかにおいて、上記彩度変更部は、色相が青色に近い画素ほど彩度の減少度合いを大きくしてもよい。
【０１１４】
色ノイズは、色相が青色に近いほど目立つノイズである。ここで、上記の構成によれば、色相が青色に近い画素ほど彩度の減少度合いを大きくする。よって、目立ちやすい色ノイズほど目立たないようにすることができるので、より効果的な色ノイズの低減を実現することができる。
【０１１５】
本発明の態様８に係る表示制御装置は、上記態様１から７のいずれかにおいて、上記彩度変更部は、彩度が大きい画素ほど彩度の減少度合いを大きくしてもよい。
【０１１６】
上記の構成によれば、彩度が大きい画素ほど彩度の減少度合いを大きくするので、より原色に近い（換言すれば、より色ノイズとして目立つ）画素の彩度を大きく減少させることができる。これにより、より効果的な色ノイズの低減を実現することができる。
【０１１７】
本発明の態様９に係る表示装置（テレビ１０）は、上記態様１から８のいずれかに係る表示制御装置を備えてもよい。
【０１１８】
上記の構成によれば、画像の情報量を低下させることなく、画像の低輝度領域での色ノイズを低減することができる表示装置を実現することができる。
【０１１９】
本発明の態様１０に係るテレビジョン受像機（テレビ１０）は、上記態様１から８のいずれかに係る表示制御装置を備えてもよい。
【０１２０】
上記の構成によれば、画像の情報量を低下させることなく、画像の低輝度領域での色ノイズを低減することができるテレビジョン受像機を実現することができる。
【０１２１】
本発明の態様１１に係る表示制御装置の制御方法は、表示させる画像の輝度に応じた第１の閾値であって、該第１の閾値に応じた輝度よりも小さい輝度を有する画素について、輝度を維持しながら彩度を減少させる彩度変更ステップ（ステップＳ８）を含む。
【０１２２】
上記の構成によれば、態様１に係る表示制御装置と同様の作用効果を奏する。
【０１２３】
本発明の各態様に係る表示制御装置は、コンピュータによって実現してもよく、この場合には、コンピュータを上記表示制御装置が備える各部（ソフトウェア要素）として動作させることにより上記表示制御装置をコンピュータにて実現させる表示制御装置の制御プログラム、およびそれを記録したコンピュータ読み取り可能な記録媒体も、本発明の範疇に入る。
【０１２４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２５】
１        ノイズ低減装置（表示制御装置）
１０      テレビ（表示装置、テレビジョン受像機）
１２２    輝度分布生成部（最大値特定部）
１２７    彩度補正部（彩度変更部）
Ｓ８      彩度変更ステップ
【図１】
2017175219.tif 000003
【図２】
2017175219.tif 000004
【図３】
2017175219.tif 000005
【図４】
2017175219.tif 000006
【図５】
2017175219.tif 000007
【図６】
2017175219.tif 000008
【図７】
2017175219.tif 000009
【図８】
2017175219.tif 000010
【図９】
2017175219.tif 000011
【図１０】
2017175219.tif 000012
【図１１】
2017175219.tif 000013
【図１２】
2017175219.tif 000014
【図１３】
2017175219.tif 000015
【図１４】
2017175219.tif 000016
【手続補正書】
【提出日】平成29年2月22日(2017.2.22)
【手続補正１】
【補正対象書類名】明細書
【補正対象項目名】全文
【補正方法】変更
【補正の内容】
【発明の詳細な説明】
【技術分野】
【０００１】
本発明は、表示させる画像の色ノイズを低減させる表示制御装置などに関する。
【背景技術】
【０００２】
近年、テレビジョン受像機（テレビ）などの表示装置に表示する画像（映像）の信号に関して、低輝度から高輝度まで豊富な情報量を有するＨＤＲ（High Dynamic Range）信号が規格化された。しかしながら、このＨＤＲ信号に基づく画像を表示装置に忠実に表示した場合、画像の低輝度領域での色ノイズの発生が問題となる。
【先行技術文献】
【特許文献】
【０００３】
【特許文献１】特開２００７−３１２３３１号公報（２００７年１１月２９日公開）
【特許文献２】特開２０００−２３１８１号公報（２０００年１月２１日公開）
【発明の概要】
【発明が解決しようとする課題】
【０００４】
以前より、平均化フィルタ等を用いて表示装置に表示する画像（映像）のノイズを低減する技術はある（例えば、下記特許文献１および特許文献２参照）が、これらの従来技術では、画像の情報量が低下し、画像がぼやけたり、ディテール感が喪失したりするという問題がある。
【０００５】
本発明は、前記の問題点に鑑みてなされたものであり、その目的は、画像の情報量を低下させることなく、画像の低輝度領域での色ノイズを低減する表示制御装置などを実現することにある。
【課題を解決するための手段】
【０００６】
上記の課題を解決するために、本発明の一態様に係る表示制御装置は、表示させる画像の輝度に応じた第１の値であって、該第１の値に応じた輝度よりも小さい輝度を有する画素について、輝度を維持しながら彩度を減少させる彩度変更部を備える。
【０００７】
また、上記の課題を解決するために、本発明の一態様に係る表示制御装置の制御方法は、表示させる画像の輝度に応じた第１の値であって、該第１の値に応じた輝度よりも小さい輝度を有する画素について、輝度を維持しながら彩度を減少させる彩度変更ステップを含む。
【発明の効果】
【０００８】
本発明の一態様によれば、画像の情報量を低下させることなく、画像の低輝度領域での色ノイズを低減することができるという効果を奏する。
【図面の簡単な説明】
【０００９】
【図１】本発明の実施形態１に係るノイズ低減装置が搭載されたテレビの要部構成の一例を示すブロック図である。
【図２】図１に示すテレビの外観の一例を示す外観図である。
【図３】図１に示すノイズ低減装置が生成する輝度分布の一例を示す図である。
【図４】図１に示すノイズ低減装置が記憶している、輝度係数を決定するための関数の一例を示す図である。
【図５】彩度および色素と、青系統色差および赤系統色差との関係を示す平面座標である。
【図６】図１に示すノイズ低減装置が記憶している、彩度係数を決定するための関数の一例を示す図である。
【図７】図１に示すノイズ低減装置が記憶している、色相係数を決定するための関数の一例を示す図である。
【図８】図１に示すノイズ低減装置が実行するノイズ低減処理の流れの一例を示すフローチャートである。
【図９】フレーム輝度最大値に応じて変化する低輝度範囲決定係数について説明するためのグラフである。
【図１０】本発明の実施形態２に係るノイズ低減装置が搭載されたテレビの要部構成の一例を示すブロック図である。
【図１１】最大輝度情報とフレーム輝度最大値との比率の違いに応じた、低輝度の範囲の違いを示す図である。
【図１２】本発明の実施形態３に係るノイズ低減装置が搭載されたテレビの要部構成の一例を示すブロック図である。
【図１３】図１２に示すテレビの表示部に表示されるＵＩの一例を示す図である。
【図１４】図１２に示すテレビの表示部に表示されるＵＩの別の例を示す図である。
【発明を実施するための形態】
【００１０】
〔実施形態１〕
以下、本発明の実施形態１について、図１から図９に基づいて詳細に説明する。
【００１１】
（本発明の概要）
まず、本発明の概要について、図１および図２に基づいて説明する。図１は、本実施形態に係るノイズ低減装置１（表示制御装置）が搭載されたテレビ１０の要部構成の一例を示すブロック図であり、図２は、テレビ１０（表示装置、テレビジョン受像機）の外観の一例を示す外観図である。
【００１２】
図１に示すノイズ低減装置１は、テレビ１０への画像の表示を制御する。具体的には、ノイズ低減装置１は、テレビ１０に表示させる画像の色ノイズを低減させる。より具体的には、ノイズ低減装置１は、テレビ１０に表示させる映像コンテンツ（例えば、受信した放送番組）を構成する静止画像（以下、フレームと称する）において、ノイズを低減させる画素を決定するための、フレームの輝度に応じた閾値を決定する。そして、決定した閾値より小さい輝度を有する画素について、輝度を維持しながら、彩度を減少させることで色ノイズを低減させる。
【００１３】
なお、本実施形態では、ノイズ低減装置１は図２に示すテレビ１０に搭載されているものとして説明する。ただし、ノイズ低減装置１が搭載される機器はテレビジョン受像機に限定されない。ノイズ低減装置１は例えば、録画した映像を再生する再生装置（プレーヤー）、チューナを有しない表示装置（モニタ）、セットトップボックス、ケーブルテレビの放送、衛星放送などを受信するためのチューナなどに搭載されていてもよい。なお、上記再生装置は、放送番組を録画する録画装置と一体となっていてもよい。
【００１４】
（テレビ１０の要部構成）
次に、ノイズ低減装置１が搭載されたテレビ１０の要部構成について、図１に基づいて説明する。なお、図１は、テレビ１０が備えている部材のうち、本発明との関連性が高い部材のみを示す図である。また、本発明との関連性が低い部材については、図示および詳細な説明を省略する。
【００１５】
図示のように、テレビ１０は、放送ストリームを受信する放送受信部１１、テレビ１０の各部を統括して制御する制御部１２、テレビ１０にて使用する各種データを記憶する記憶部１３、および、放送番組の映像を表示する表示部１４を備えている。放送受信部１１は、例えば、地上デジタル放送、衛星放送などにより放送される放送番組を含む放送ストリームを受信する。また放送受信部１１は、例えばアンテナおよびチューナなどによって構成されている。
【００１６】
そして、制御部１２には、放送信号制御部１２１、輝度分布生成部１２２（最大値特定部）、輝度係数決定部１２３、彩度係数決定部１２４、色相係数決定部１２５、演算係数算出部１２６、彩度補正部１２７（彩度変更部）、および映像処理部１２８が含まれている。また、記憶部１３には、輝度係数決定情報１３１、輝度ルックアップテーブル１３２、彩度ルックアップテーブル１３３、および色相ルックアップテーブル１３４が記憶されている。なお、図１では、ルックアップテーブルをＬＵＴと表記しており、以降の説明においても、ルックアップテーブルをＬＵＴと表記する。
【００１７】
放送信号制御部１２１は、受信した放送ストリームに含まれる放送番組の各フレームの情報を、制御部１２の各部に出力する。具体的には、放送信号制御部１２１は、フレームの各画素の輝度を示す輝度情報ｄ１およびフレームの各画素の彩度および色相を示す色差情報ｄ２を彩度補正部１２７に出力する。また、放送信号制御部１２１は、輝度情報ｄ１を、輝度分布生成部１２２に出力する。また、放送信号制御部１２１は、色差情報ｄ２を、彩度係数決定部１２４および色相係数決定部１２５に出力する。
【００１８】
なお、放送信号制御部１２１は、色成分情報（具体的には、フレームの各画素の赤色成分、緑色成分、青色成分の値）を取得した場合、該色成分情報を輝度情報ｄ１および色差情報ｄ２に変換して、上述した制御部１２の各部に出力する。ここで、色成分情報を輝度情報ｄ１および色差情報ｄ２に変換する方法としては、公知の技術を用いることができる。
【００１９】
輝度分布生成部１２２は、取得した輝度情報ｄ１に基づき、フレームの輝度分布（輝度ヒストグラム）を生成する。例えば、輝度分布生成部１２２は、図３に示す輝度分布を生成する。図３は、輝度分布生成部１２２が生成する輝度分布の一例を示す図である。なお、輝度分布生成部１２２が生成する輝度分布は、図３の例に限定されない。また、輝度分布生成部１２２は、生成した輝度分布を参照して、受信したフレームにおける輝度の最大値であるフレーム輝度最大値Ｙｍａｘと、最小値であるフレーム輝度最小値Ｙｍｉｎとを特定し、輝度係数決定部１２３に出力する。
【００２０】
輝度係数決定部１２３は、テレビ１０が受信したフレームの輝度に応じた係数である輝度係数ＡＹ（第１の係数）を決定する。具体的には、輝度係数決定部１２３はまず、記憶部１３から輝度ＬＵＴ１３２を読み出す。輝度ＬＵＴ１３２には、輝度に対する輝度係数ＡＹの関数を示す情報が格納されており、例えば、図４の（ａ）に示す関数が格納されている。図４は、輝度ＬＵＴ１３２に格納されている関数の一例を示す図である。
【００２１】
図４の（ａ）に示すように、輝度ＬＵＴ１３２に格納されている関数によれば、輝度係数ＡＹは、輝度が０ｃｄ／ｍ２からＹ１ｃｄ／ｍ２までの範囲では最大値１．０をとり、Ｙ１ｃｄ／ｍ２からＹ２ｃｄ／ｍ２までの範囲では一次関数的に減少し、Ｙ２ｃｄ／ｍ２からの範囲では０となる。これは、本実施形態に係るノイズ低減装置１が、ノイズの低減対象のフレームにおいて低輝度とみなされる数値範囲（すなわち、０ｃｄ／ｍ２からＹ２ｃｄ／ｍ２、以下、低輝度の範囲と呼称する）に含まれる画素の色ノイズを低減することを目的としているためである。より具体的には、本実施形態に係るノイズ低減装置１は、０ｃｄ／ｍ２からＹ１ｃｄ／ｍ２までの範囲をノイズ低減範囲とみなし、画素の彩度を０にする。換言すれば、輝度係数ＡＹは、Ｙ１ｃｄ／ｍ２からＹ２ｃｄ／ｍ２の範囲（所定の輝度の範囲）において輝度が大きくなるほど小さくなる係数である。また、ノイズ低減装置１は、Ｙ１ｃｄ／ｍ２からＹ２ｃｄ／ｍ２までの範囲を調整範囲とみなし、輝度の値が大きくなるにつれて、輝度係数ＡＹを一次関数的に減少させる。この調整範囲を設けることにより、彩度を０とした画素と、彩度を減少させない画素との間における、彩度の急激な変化を抑えることができる。
【００２２】
続いて、輝度係数決定部１２３は、輝度ＬＵＴ１３２における値Ｙ１および値Ｙ２を決定し、フレームの各輝度における輝度係数ＡＹを決定する。具体的には、輝度係数決定部１２３は、記憶部１３から輝度係数決定情報１３１を読み出し、フレーム輝度最大値Ｙｍａｘと、読み出した輝度係数決定情報１３１とから、フレームにおける低輝度の範囲を定義する。
【００２３】
輝度係数決定情報１３１は、低輝度範囲決定係数Ｂ、ノイズ低減範囲決定情報、および調整範囲決定情報を含む。低輝度範囲決定係数Ｂは、ノイズ低減範囲および調整範囲を決定するための係数である。換言すれば、低輝度範囲決定係数Ｂはフレームにおける低輝度の範囲を定義するための係数である。本実施形態では、低輝度範囲決定係数Ｂ＝０．００５として説明するが、この例に限定されるものではない。ノイズ低減範囲決定情報は、値Ｙ１を決定するための情報である。本実施形態では、ノイズ低減範囲決定情報は演算式であり、Ｙ１＝Ｙｍａｘ×Ｂとして説明するが、ノイズ低減範囲決定情報は、値Ｙ１を決定することができる情報であればよく、この例に限定されない。調整範囲決定情報は、値Ｙ２を決定するための情報である。本実施形態では、調整範囲決定情報は演算式であり、Ｙ２＝Ｙ１×２として説明するが、調整範囲決定情報は、値Ｙ２を決定することができる情報であればよく、この例に限定されない。
【００２４】
例えば、フレーム輝度最大値Ｙｍａｘが１００ｃｄ／ｍ２であった場合、輝度係数決定部１２３は、値Ｙ１を０．５ｃｄ／ｍ２と決定し、また、値Ｙ２を１ｃｄ／ｍ２と決定する。そして、輝度係数決定部１２３は、輝度ＬＵＴ１３２に値Ｙ１、値Ｙ２、およびフレーム輝度最大値Ｙｍａｘを代入することで、受信したフレームの各画素の輝度に対する輝度係数ＡＹを決定する。図４の（ａ）に示すように、本実施形態に係る輝度係数ＡＹは、値Ｙ２以上の輝度の画素については０となる。ここで、本実施形態の値Ｙ２は、フレーム輝度最大値Ｙｍａｘに対して１％の輝度を示す値である。つまり本実施形態に係る輝度係数決定部１２３は、フレーム輝度最大値Ｙｍａｘに対して所定の割合以上の輝度を有する画素の輝度係数ＡＹを０にする。詳細については後述するが、ノイズ低減装置１は輝度係数ＡＹが０の画素については彩度を減少させない。換言すれば、ノイズ低減装置１は、値Ｙ２より小さい輝度を有する画素について彩度を減少させる。つまり輝度係数決定部１２３は、ノイズを低減させる画素を決定するための、画像の輝度に応じた第１の閾値（値Ｙ２、第１の値）を決定する、と表現することもできる。
【００２５】
また、輝度係数決定部１２３は、画像の輝度における第２の閾値（値Ｙ１、第２の値）をさらに決定し、ノイズ低減装置１は、輝度が０から値Ｙ１の範囲に含まれる画素については彩度を０とし、輝度が値Ｙ１から値Ｙ２の範囲に含まれる画素については、輝度が大きくなるほど彩度の減少度合いを小さくする、と表現することもできる。
【００２６】
最後に、輝度係数決定部１２３は、決定した輝度係数ＡＹを演算係数算出部１２６に出力する。
【００２７】
なお、輝度ＬＵＴ１３２に格納される関数は、図４の（ａ）の例に限定されない。例えば、図４の（ｂ）に示すように、値Ｙ１から値Ｙ２にかけて、二次関数的に減少していく関数であってもよい。つまり、輝度ＬＵＴ１３２に格納される関数において、値Ｙ１から値Ｙ２までの範囲は減衰関数であればよい。なお、該減衰関数を一次関数以外の関数とする場合、該減衰関数を用意するための演算プロセッサを使用できるように、ノイズ低減装置１を構成することが望ましい。また、輝度ＬＵＴ１３２に格納される関数は、輝度が増加するほど、輝度係数が階段状に減少していく（例えば、輝度が２増加するごとに輝度係数が小さくなる）関数であってもよい。
【００２８】
また、フレームが全体的に明るい場合（すなわち、フレーム輝度最小値Ｙｍｉｎとフレーム輝度最大値Ｙｍａｘとが大きい場合）、値Ｙ１もまた大きくなる。そのため、本来彩度を低減しなくてもよい画素まで、彩度を低減してしまうおそれがある。そこで、輝度係数決定部１２３は、フレーム輝度最小値Ｙｍｉｎが所定の値（例えば、５ｃｄ／ｍ２）を超える場合、輝度係数ＡＹを、フレームの画素の輝度に関わらず０としてもよい。これにより、フレームが全体的に明るい場合は、輝度に基づくノイズの低減処理が行われないので、過度に彩度を低減してしまうという状況を防ぐことができる。
【００２９】
彩度係数決定部１２４は、テレビ１０が受信したフレームの彩度に応じた係数である彩度係数ＡＳを決定する。具体的には、彩度係数決定部１２４は、放送信号制御部１２１から色差情報ｄ２を取得すると、まず、各画素の彩度Ｓを算出する。具体的には、彩度係数決定部１２４が取得した色差情報ｄ２には、青系統の彩度および色相を示す青系統色差Ｃｂと、赤系統の彩度および色相を示す赤系統色差Ｃｒとが含まれている。ここで、図５を参照して、彩度Ｓおよび色相Ｈと、青系統色差Ｃｂおよび赤系統色差Ｃｒとの関係を説明する。図５は、彩度Ｓおよび色相Ｈと、青系統色差Ｃｂおよび赤系統色差Ｃｒとの関係を示す平面座標である。図５に示すように、青系統色差Ｃｂ横軸、赤系統色差Ｃｒを縦軸とする平面を定義すると、ある色Ｐ（Ｃｂ，Ｃｒ）の彩度Ｓは原点Ｏと点Ｐとの距離（換言すれば、線分ＯＰの長さ）となり、色相Ｈは原点Ｏと横軸上の点Ｃｂを通る直線と、原点Ｏと点Ｐとを通る直線とのなす角の角度となる。つまり、図５に示すように、Ｈ＝０の場合、その画素の色相は青となり、Ｈ＝２２５の場合、その画素の色相は緑となる。
【００３０】
よって、彩度係数決定部１２４は、演算式Ｓ＝（Ｃｂ２＋Ｃｒ２）１／２に、取得した青系統色差Ｃｂおよび赤系統色差Ｃｒを代入することで、彩度Ｓを算出する。なお、この演算式は一例であり、彩度Ｓの算出方法はこの例に限定されない。例えば、演算式Ｓ＝｜Ｃｂ｜＋｜Ｃｒ｜に得した青系統色差Ｃｂおよび赤系統色差Ｃｒを代入することで、彩度Ｓを算出してもよい。なお、｜Ｃｂ｜および｜Ｃｒ｜はそれぞれ、青系統色差Ｃｂおよび赤系統色差Ｃｒの絶対値である。つまり、彩度Ｓは、青系統色差Ｃｂおよび赤系統色差Ｃｒの絶対値が大きいほど高くなるものであり、彩度Ｓの算出方法はこの関係が示せるような演算を行うものであればよい。
【００３１】
続いて、彩度係数決定部１２４は、記憶部１３から彩度ＬＵＴ１３３を読み出す。彩度ＬＵＴ１３３には、彩度Ｓに対する彩度係数ＡＳの関数を示す情報が格納されており、例えば、図６に示す関数が格納されている。図６は、彩度ＬＵＴ１３３に格納されている関数の一例を示す図である。彩度係数決定部１２４は、算出した彩度Ｓを該関数に代入し、受信したフレームの各画素の彩度に対する彩度係数ＡＳを決定する。そして、彩度係数決定部１２４は、決定した彩度係数ＡＳを演算係数算出部１２６に出力する。
【００３２】
なお、彩度ＬＵＴ１３３に格納される関数は、画素の彩度Ｓが大きいほど彩度係数ＡＳの値が大きくなるような関数であればよく、図６の例に限定されない。
【００３３】
色相係数決定部１２５は、テレビ１０が受信したフレームの色相に応じた係数である色相係数ＡＨを決定する。具体的には、色相係数決定部１２５は、放送信号制御部１２１から色差情報ｄ２を取得すると、まず、各画素の色相Ｈを求める。上述したように、色相Ｈは、図５の平面座標における、原点Ｏと横軸上の点Ｃｂを通る直線と、原点Ｏと点Ｐとを通る直線とのなす角の角度である。よって、色相係数決定部１２５は、演算式Ｈ＝ｔａｎ−１（Ｃｒ／Ｃｂ）に、青系統色差Ｃｂおよび赤系統色差Ｃｒを代入することで、色相Ｈを算出する。なお、この演算式は一例であり、色相Ｈの算出方法はこの例に限定されない。
【００３４】
続いて、色相係数決定部１２５は、記憶部１３から色相ＬＵＴ１３４を読み出す。色相ＬＵＴ１３４には、色相Ｈに対する色相係数ＡＨの関数を示す情報が格納されており、例えば、図７に示す関数が格納されている。図７は、色相ＬＵＴ１３４に格納されている関数の一例を示す図である。色相係数決定部１２５は、算出した色相Ｈを該関数に代入し、受信したフレームの各画素の色相に対する色相係数ＡＨを決定する。換言すれば、色相係数ＡＨは、フレームの各画素の色相に応じた、画素ごとの係数であると表現することもできる。そして、色相係数決定部１２５は、決定した色相係数ＡＨを演算係数算出部１２６に出力する。
【００３５】
なお、色相ＬＵＴ１３４に格納される関数は、図７の例に限定されない。図７に示す関数は、色相が青（Ｈ＝０）および黄（Ｈ＝９０）に近い場合において、ＡＨの値が大きくなっている。すなわち、図７に示す関数が色相ＬＵＴ１３４に格納されている場合、ノイズ低減装置１は、色相が青および黄に近い画素において、ノイズを低減する構成であると言える。なお、輝度が低輝度の範囲に含まれる画素においては、特に色相が青である画素における色ノイズが目立つ。そのため、図７に示す関数を色相ＬＵＴ１３４に格納することで、色ノイズが目立つ画素において、確実に色ノイズを低減するノイズ低減装置１を実現することができる。
【００３６】
演算係数算出部１２６は、輝度係数ＡＹ、彩度係数ＡＳ、および色相係数ＡＨを用いて、フレームの各画素の彩度を減少させるための演算係数ＡＴ（ノイズ低減係数）を算出する。具体的には、演算式ＡＴ＝ＡＹ×ＡＳ×ＡＨに、取得した輝度係数ＡＹ、彩度係数ＡＳ、および色相係数ＡＨを代入して、演算係数ＡＴを算出する。なお、上記の演算係数ＡＴを算出するための演算式は一例であり、この例に限定されるものではない。演算係数算出部１２６は、算出した演算係数ＡＴを彩度補正部１２７に出力する。
【００３７】
ここで、本実施形態に係る演算係数ＡＴは、輝度係数ＡＹに比例する係数である。つまり、本実施形態に係る演算係数ＡＴは輝度係数ＡＹが大きくなるほど大きい値となる。また、本実施形態に係る演算係数ＡＴは、彩度ＬＵＴ１３３に格納された関数（図６参照）に基づいて決定された彩度係数ＡＳ、および、色相ＬＵＴ１３４に格納された関数（図７参照）に基づいて決定された色相係数ＡＨに比例する係数である。つまり、本実施形態に係る演算係数ＡＴは、彩度が大きいほど大きい値となり、また、色相が青色および黄色に近いほど大きい値となる。
【００３８】
彩度補正部１２７は、演算係数ＡＴに基づいて、フレームの各画素のうち、輝度が低輝度の範囲に含まれる画素の彩度を減少させる。具体的には、映像処理部１２８は、放送信号制御部１２１から取得した色差情報ｄ２に含まれる青系統色差Ｃｂおよび赤系統色差Ｃｒと、演算係数算出部１２６から取得した演算係数ＡＴとから、補正後の（換言すれば、彩度を減少させた）青系統色差Ｃｂおよび赤系統色差Ｃｒである青系統色差Ｃｂ’および赤系統色差Ｃｒ’をそれぞれ算出する。より具体的には、演算式Ｃｂ’＝（１−ＡＴ）×Ｃｂ、および、演算式Ｃｒ’＝（１−ＡＴ）×Ｃｒに、取得した青系統色差Ｃｂ、赤系統色差Ｃｒ、および演算係数ＡＴを代入して、青系統色差Ｃｂ’および赤系統色差Ｃｒ’を算出する。そして、彩度補正部１２７は、算出した青系統色差Ｃｂ’および赤系統色差Ｃｒ’を映像処理部１２８に出力する。
【００３９】
ここで、彩度補正部１２７による彩度の補正について詳細に説明する。詳細については後述するが、映像処理部１２８は、彩度補正部１２７から取得した輝度情報ｄ１、青系統色差Ｃｂ’および赤系統色差Ｃｒ’に基づいたフレームを表示部１４に表示させる。上述したように、青系統色差Ｃｂ’および赤系統色差Ｃｒ’はそれぞれ、取得した青系統色差Ｃｂおよび赤系統色差Ｃｒに、１から演算係数ＡＴを減算した値を乗算することで求められる。ここで、上述したように、彩度Ｓは青系統色差Ｃｂおよび赤系統色差Ｃｒの絶対値が大きいほど高くなるものである（例えば、Ｓ＝（Ｃｂ２＋Ｃｒ２）１／２という演算式で算出される）。つまり彩度Ｓは、青系統色差および赤系統色差の値に応じて変化する値である。以上より、彩度補正部１２７が青系統色差Ｃｂおよび赤系統色差Ｃｒの値を、それぞれ青系統色差Ｃｂ’および赤系統色差Ｃｒ’に変更することにより、表示部１４に表示されるフレームの各画素の彩度は、受信したフレームの各画素の彩度から変更されることになる。
【００４０】
また、上述したように、演算係数ＡＴは、輝度係数ＡＹ、彩度係数ＡＳ、および色相係数ＡＨをかけあわせることによって算出される。すなわち、演算係数ＡＴは、輝度係数ＡＹ、彩度係数ＡＳ、および色相係数ＡＨのそれぞれの値が大きいほど、大きい値となる。ここで、輝度係数ＡＹ、彩度係数ＡＳ、および色相係数ＡＨはそれぞれ、０以上１以下の値であるため、演算係数ＡＴもまた０以上１以下の値となり、同様に（１−ＡＴ）も０以上１以下の値となる。よって、青系統色差Ｃｂ’および赤系統色差Ｃｒ’は、取得した青系統色差Ｃｂおよび赤系統色差Ｃｒと同じ値となる（演算係数ＡＴ＝０である場合）か、または、取得した青系統色差Ｃｂおよび赤系統色差Ｃｒより、その絶対値が小さくなる（０＜演算係数ＡＴ≦１である場合）。さらに、青系統色差Ｃｂ’および赤系統色差Ｃｒ’は、演算係数ＡＴが大きい値であるほど、その絶対値が小さくなる。つまり、青系統色差Ｃｂ’および赤系統色差Ｃｒ’に基づく彩度Ｓ（表示部１４に表示されるフレームにおける各画素の彩度Ｓ）は、演算係数ＡＴが大きい値であるほど小さくなるとともに、受信したフレームにおける各画素の彩度Ｓとの差が大きくなる（換言すれば、輝度係数ＡＹが大きい値であるほど、彩度Ｓの減少度合いが大きくなる）。
【００４１】
また、上述したように、本実施形態に係る輝度係数ＡＹは、各画素の輝度が低輝度の範囲（０ｃｄ／ｍ２からＹ２ｃｄ／ｍ２の範囲）に含まれない場合、その値が０となる。つまり、輝度が低輝度の範囲に含まれない画素については、演算係数ＡＴが０となるため、ノイズ低減装置１は画素の彩度を補正しない（彩度が減少しない）こととなる。つまり、本実施形態に係るノイズ低減装置１は、輝度が低輝度の範囲に含まれる画素の彩度のみを減少させる。
【００４２】
また、輝度情報ｄ１は、受信したフレームの輝度情報ｄ１がそのまま映像処理部１２８に出力される。そのため、表示部１４に表示されるフレームは、受信したフレームの各画素の輝度が維持されたものとなる。なお、放送信号制御部１２１は、輝度情報ｄ１を彩度補正部１２７ではなく、映像処理部１２８に出力してもよい。
【００４３】
さらに、青系統色差Ｃｂ’および赤系統色差Ｃｒ’は、いずれも、青系統色差Ｃｂおよび赤系統色差Ｃｒに（１−ＡＴ）を乗算することで算出されるため、Ｃｒ／Ｃｂ＝Ｃｒ’／Ｃｂ’が成立する。よって、表示部１４に表示されるフレームの各画素の色相は、受信したフレームの各画素の色相Ｈが維持されたものとなる。
【００４４】
映像処理部１２８は、取得した輝度情報ｄ１、青系統色差Ｃｂ’および赤系統色差Ｃｒ’に基づいたフレームを表示部１４に表示させる。これにより、表示部１４には、輝度が低輝度の範囲に含まれる画素において彩度が補正された（彩度が減少した）フレームが表示されることとなる。
【００４５】
以上より、本実施形態に係るノイズ低減装置１は、低輝度の画素で彩度を減少させるので、画素での色ノイズの発生を抑えることができる。また、ノイズ低減が必要な画素のみにノイズ低減の処理を行うことができる。また、各画素の輝度は維持されるので、輝度の低減によるぼやけた領域や黒潰れした領域の発生を抑えることができる。
【００４６】
（ノイズ低減処理の流れ）
次に、図８を参照して、ノイズ低減装置１が実行するノイズ低減処理の流れについて説明する。図８は、ノイズ低減装置１が実行するノイズ低減処理の流れの一例を示すフローチャートである。
【００４７】
まず、放送信号制御部１２１は、放送番組のフレームの受信を待機する（ステップＳ１、以下、「ステップ」を省略）。フレームを受信すると（Ｓ１でＹＥＳ）、放送信号制御部１２１は、輝度情報ｄ１および色差情報ｄ２を彩度補正部１２７に出力する。また、放送信号制御部１２１は、輝度情報ｄ１を、輝度分布生成部１２２に出力する。また、放送信号制御部１２１は、色差情報ｄ２を、彩度係数決定部１２４および色相係数決定部１２５に出力する。
【００４８】
続いて、輝度分布生成部１２２は、取得した輝度情報ｄ１を用いて輝度分布を生成する（Ｓ２）。そして、生成した輝度分布を参照して、フレーム輝度最大値Ｙｍａｘと、フレーム輝度最小値Ｙｍｉｎとを特定し、輝度係数決定部１２３に出力する。
【００４９】
続いて、輝度係数決定部１２３は、受信したフレームにおける低輝度の範囲を定義する（Ｓ３）。具体的には、輝度係数決定部１２３は、記憶部１３から読み出した輝度ＬＵＴ１３２に格納されている関数における値Ｙ１および値Ｙ２を、取得したフレーム輝度最大値Ｙｍａｘと、記憶部１３から読み出した低輝度範囲決定係数Ｂから算出し、低輝度の範囲（換言すれば、値Ｙ２の具体的な数値）を定義する。続いて、輝度係数決定部１２３は輝度係数ＡＹを決定する（Ｓ４）。具体的には、読み出した輝度ＬＵＴ１３２に格納されている関数に値Ｙ１、値Ｙ２、およびフレーム輝度最大値Ｙｍａｘを代入することで、受信したフレームの各画素の輝度に対する輝度係数ＡＹを決定する。なお、上述したように、低輝度の範囲に含まれない輝度に対する輝度係数ＡＹは０となる。輝度係数決定部１２３は、決定した輝度係数ＡＹを演算係数算出部１２６に出力する。
【００５０】
続いて、彩度係数決定部１２４は彩度係数ＡＳを決定する（Ｓ５）。具体的には、取得した色差情報ｄ２に含まれる青系統色差Ｃｂと赤系統色差Ｃｒとから彩度Ｓを算出し、記憶部１３から読み出した彩度ＬＵＴ１３３に格納されている関数に、算出した彩度Ｓを代入することで、受信したフレームの各画素の彩度に対する彩度係数ＡＳを決定する。彩度係数決定部１２４は、決定した彩度係数ＡＳを演算係数算出部１２６に出力する。
【００５１】
続いて、色相係数決定部１２５は色相係数ＡＨを決定する（Ｓ６）。具体的には、取得した色差情報ｄ２に含まれる青系統色差Ｃｂと赤系統色差Ｃｒとから色相Ｈを算出し、記憶部１３から読み出した色相ＬＵＴ１３４に格納されている関数に、算出した色相Ｈを代入することで、受信したフレームの各画素の色相に対する色相係数ＡＨを決定する。色相係数決定部１２５は、決定した色相係数ＡＨを演算係数算出部１２６に出力する。
【００５２】
なお、Ｓ４、Ｓ５、Ｓ６の処理は、Ｓ３の処理の後、Ｓ７の処理の前に実行されればよく、その順番は特に限定されない。また、Ｓ４、Ｓ５、Ｓ６の処理は同時に行われてもよい。
【００５３】
続いて、演算係数算出部１２６は、取得した輝度係数ＡＹ、彩度係数ＡＳ、および色相係数ＡＨから演算係数ＡＴを算出する（Ｓ７）。そして、演算係数算出部１２６は、算出した演算係数ＡＴを彩度補正部１２７に出力する。
【００５４】
続いて、彩度補正部１２７は、取得した演算係数を用いて、受信したフレームの彩度を補正する（Ｓ８、彩度変更ステップ）。具体的には、彩度補正部１２７は、演算式Ｃｂ’＝（１−ＡＴ）×Ｃｂ、および、演算式Ｃｒ’＝（１−ＡＴ）×Ｃｒに、取得した青系統色差Ｃｂ、赤系統色差Ｃｒ、および演算係数ＡＴを代入して、青系統色差Ｃｂ’および赤系統色差Ｃｒ’を算出する。そして、彩度補正部１２７は、取得した輝度情報ｄ１、算出した青系統色差Ｃｂ’および赤系統色差Ｃｒ’を映像処理部１２８に出力する。
【００５５】
最後に、映像処理部１２８は、補正後のフレームを表示部１４に表示させる（Ｓ９）。具体的には、映像処理部１２８は、取得した輝度情報ｄ１、青系統色差Ｃｂ’および赤系統色差Ｃｒ’に基づいたフレームを表示部１４に表示させる。これにより、表示部１４には、輝度が低輝度の範囲に含まれる画素において彩度が補正された（彩度が減少した）フレームが表示されることとなる。
【００５６】
（実施形態１の変形例）
上述した輝度係数決定情報１３１に含まれる低輝度範囲決定係数Ｂは、フレーム輝度最大値Ｙｍａｘによらず一定の値であったが、該低輝度範囲決定係数Ｂは、フレーム輝度最大値Ｙｍａｘに応じた値であってもよい。この変形例の詳細について、図９を参照して説明する。図９は、フレーム輝度最大値Ｙｍａｘに応じて変化する低輝度範囲決定係数Ｂについて説明するためのグラフである。本変形例に係るノイズ低減装置１の記憶部１３には、輝度係数決定情報１３１として、図９に示す関数を格納するＬＵＴが記憶されている。輝度係数決定部１２３は、該ＬＵＴを読み出し、図示の関数から、取得したフレーム輝度最大値Ｙｍａｘに対応する低輝度範囲決定係数Ｂを特定する。
【００５７】
なお、低輝度範囲決定係数Ｂを特定するための関数は図示の例に限定されるものではない。ただし、フレーム輝度最大値Ｙｍａｘの値が大きい場合であっても、色ノイズの発生が懸念される画素（換言すれば、輝度の値が小さい画素）のみにおいてノイズ低減処理を行うことができるようにするために、図示のように、フレーム輝度最大値Ｙｍａｘが所定値以上の場合、フレーム輝度最大値Ｙｍａｘが増加するにしたがって低輝度範囲決定係数Ｂが漸減するような関数とすることが望ましい。
【００５８】
〔実施形態２〕
本発明の他の実施形態について、図１０および図１１に基づいて説明すれば、以下のとおりである。なお、以降の実施形態においては、説明の便宜上、前記実施形態にて説明した部材と同じ機能を有する部材に同じ符号を付記し、その説明を省略する。
【００５９】
図１０は、本実施形態に係るテレビ１０ａの要部構成の一例を示すブロック図である。テレビ１０ａ（換言すれば、テレビ１０ａに搭載されたノイズ低減装置１ａ）は、放送ストリームがＨＤＲ（High Dynamic Range）信号である場合、該放送ストリームに含まれる、コンテンツ（放送番組）における最大輝度（コンテンツの輝度の最大値）を示す最大輝度情報（Maximum Content Light Level）を用いて、コンテンツのフレームごとに適切な低輝度の範囲を定義する。以下、その詳細について説明する。
【００６０】
図１０に示すように、テレビ１０ａは、制御部１２に代えて制御部１２ａを備えている。そして、制御部１２ａには、放送信号制御部１２１および輝度係数決定部１２３に代えて、放送信号制御部１２１ａおよび輝度係数決定部１２３ａがそれぞれ含まれている。
【００６１】
放送信号制御部１２１ａは、上述した放送信号制御部１２１の機能に加え、放送ストリームに含まれる最大輝度情報ｄ３を輝度係数決定部１２３ａに出力する。なお、本実施形態では、最大輝度情報ｄ３は、コンテンツ中で最も高い輝度を示す情報であるものとして説明する。つまり本実施形態では、最大輝度情報ｄ３は、１コンテンツに対して１つの値となる。また、最大輝度情報ｄ３は、コンテンツにおける最初のフレームに含まれる情報である。よって、放送信号制御部１２１ａは、コンテンツにおける最初のフレームを取得したとき、該フレームに含まれる最大輝度情報ｄ３を、輝度係数決定部１２３ａに出力する。
【００６２】
なお、最大輝度情報ｄ３は、１コンテンツに対して１つの値でなくてもよい。例えば、最大輝度情報ｄ３は、コンテンツをいくつかのセグメントに分割したときの、各セグメントにおける最も高い輝度を示す情報であってもよい。この場合、最大輝度情報ｄ３は、１コンテンツに対してセグメントの数だけ存在することとなる。またこの場合、最大輝度情報ｄ３は、各セグメントにおける最初のフレームに含まれる。
【００６３】
また例えば、最大輝度情報ｄ３は、各フレームにおける最も高い輝度を示す情報であってもよい。この場合、最大輝度情報ｄ３は、１コンテンツに対してフレームの数だけ存在することとなる。またこの場合、最大輝度情報ｄ３は各フレームに含まれる。なお、最大輝度情報ｄ３が各フレームにおける最も高い輝度を示す情報である場合、該最大輝度情報ｄ３とフレーム輝度最大値Ｙｍａｘとは同じ値となる可能性が高い。ただし、最大輝度情報ｄ３はコンテンツの送信側において設定された値であるのに対し、フレーム輝度最大値Ｙｍａｘは、ノイズ低減装置１ａにおいて生成された輝度分布における最も高い輝度（つまり、コンテンツの受信側において特定された値）であるため、異なる値となる場合もある。なお以降、最大輝度情報ｄ３を最大輝度値ＭａｘＣＬＬと表記する場合がある。
【００６４】
輝度係数決定部１２３ａは、輝度係数決定部１２３と以下の点で相違する。すなわち、輝度係数決定部１２３ａは、取得した最大輝度情報ｄ３およびフレーム輝度最大値Ｙｍａｘに応じて、記憶部１３から読み出した低輝度範囲決定係数Ｂを補正する（補正後の低輝度範囲決定係数Ｂ’を算出する）。具体的には、輝度係数決定部１２３ａは、演算式Ｂ’＝Ｙｍaｘ／ＭａｘＣＬＬ×Ｂに、取得した最大輝度値ＭａｘＣＬＬ、フレーム輝度最大値Ｙｍａｘ、および、記憶部１３から読み出した低輝度範囲決定係数Ｂを代入することで、補正後の低輝度範囲決定係数Ｂ’を算出する。
【００６５】
そして、算出した低輝度範囲決定係数Ｂ’を用いて、値Ｙ１および値Ｙ２を算出する。なお、値Ｙ１および値Ｙ２の具体的な算出方法については、実施形態１にて説明しているため、ここでの説明を省略する。
【００６６】
このように、最大輝度情報ｄ３およびフレーム輝度最大値Ｙｍａｘに応じて低輝度範囲決定係数Ｂを補正することにより、コンテンツ中における比較的暗いシーンのフレームにおいて、低輝度の範囲の定義を変更することができる。これについて、図１１を参照して説明する。図１１は、最大輝度情報ｄ３（すなわち、最大輝度値ＭａｘＣＬＬ）とフレーム輝度最大値Ｙｍａｘとの比率（すなわち、Ｙｍaｘ／ＭａｘＣＬＬ）の違いに応じた、低輝度の範囲の違いを示す図である。
【００６７】
図１１の（ａ）は、Ｙｍaｘ／ＭａｘＣＬＬ＝１の場合、すなわち、このフレームにおけるフレーム輝度最大値Ｙｍａｘが、コンテンツにおける最大輝度と等しい場合における、輝度に対する輝度係数ＡＹを示す図である。この例において、低輝度範囲決定係数Ｂ＝０．００５の場合、低輝度範囲決定係数Ｂ’も０．００５となるので、値Ｙ２の演算式が実施形態１と同じであるとすると、低輝度の範囲は、フレーム輝度最大値Ｙｍａｘに対して０〜１％の輝度の範囲となる。
【００６８】
一方で、フレーム輝度最大値Ｙｍａｘが、コンテンツにおける最大輝度より小さい場合において、低輝度の範囲を、フレーム輝度最大値Ｙｍａｘに対して０〜１％の輝度の範囲とすると、ノイズ低減の必要のない画素に対してノイズ低減が行われるおそれがある。そこで、本実施形態に係るノイズ低減装置１ａは、フレーム輝度最大値Ｙｍａｘがコンテンツにおける最大輝度より小さい場合に低輝度の範囲をさらに狭める。これにより、ノイズ低減が必要な画素に対してのみノイズ低減を行うことができる。この具体例を図１１の（ｂ）に示す。図１１の（ｂ）は、Ｙｍaｘ／ＭａｘＣＬＬ＝０．５の場合、すなわち、このフレームにおけるフレーム輝度最大値Ｙｍａｘがコンテンツにおける最大輝度に比べて半分の場合における、輝度に対する輝度係数ＡＹを示す図である。この例において、低輝度範囲決定係数Ｂ’＝０．５×０．００５＝０．００２５となるので、低輝度の範囲は、フレーム輝度最大値Ｙｍａｘに対して０〜０．５％の輝度の範囲となる。なお、本実施形態に係る低輝度範囲決定係数Ｂ’（所定の割合）は、フレーム輝度最大値Ｙｍａｘと最大輝度値ＭａｘＣＬＬとの差が大きい場合に小さくなり、小さい場合に大きくなると表現することもできる。
【００６９】
以上のように、本実施形態に係るノイズ低減装置１ａは、最大輝度値ＭａｘＣＬＬとフレーム輝度最大値Ｙｍａｘとの比率（Ｙｍaｘ／ＭａｘＣＬＬ）に応じて低輝度範囲決定係数Ｂを補正する。これにより、フレームごとに適切な低輝度の範囲が定義されるので、ノイズ低減が必要な画素に対してのみノイズ低減を行うことができる。
【００７０】
（実施形態２の変形例）
上述した輝度係数決定部１２３ａは、最大輝度値ＭａｘＣＬＬを、低輝度範囲決定係数Ｂを補正するために使用していたが、最大輝度値ＭａｘＣＬＬの使用方法はこの例に限定されない。例えば、輝度係数決定部１２３ａは、最大輝度値ＭａｘＣＬＬを、フレーム輝度最大値Ｙｍａｘの代わりに使用して、値Ｙ１および値Ｙ２を算出してもよい。この例の場合、値Ｙ１を算出するための演算式が、Ｙ１＝ＭａｘＣＬＬ×Ｂとなる。
【００７１】
また、ノイズ低減装置１ａは、最大輝度情報ｄ３に代えて、放送ストリームに含まれる、コンテンツにおける平均輝度（コンテンツの輝度の平均値）を示す平均輝度情報（Maximum Frame Average Light Level、以降、平均輝度情報を、平均輝度値ＭａｘＦＡＬＬと呼称する場合がある）を用いて、コンテンツのフレームごとに適切な低輝度の範囲を定義してもよい。なお、この場合の輝度係数決定部１２３ａが実行する具体的な処理は、上述した処理において、最大輝度値ＭａｘＣＬＬが平均輝度値ＭａｘＦＡＬＬに置き換わる他は、上述した処理と同様であるため、ここでの説明を省略する。
【００７２】
また、ノイズ低減装置１ａは、最大輝度情報ｄ３に代えて、放送ストリームに含まれる、コンテンツ作成者がコンテンツ作成の際に用いられたモニタ（表示装置）における最大輝度を示すコンテンツ作成時最大輝度情報（Max Display Mastering Luminance）を用いて、コンテンツのフレームごとに適切な低輝度の範囲を定義してもよい。なお、この場合の輝度係数決定部１２３ａが実行する具体的な処理は、上述した処理において、最大輝度値ＭａｘＣＬＬが、コンテンツ作成時最大輝度情報における値に置き換わる他は、上述した処理と同様であるため、ここでの説明を省略する。
【００７３】
〔実施形態３〕
本発明のさらに別の実施形態について、図１２から図１４に基づいて説明すれば、以下のとおりである。
【００７４】
図１２は、本実施形態に係るテレビ１０ｂの要部構成の一例を示すブロック図である。テレビ１０ｂ（換言すれば、テレビ１０ｂに搭載されたノイズ低減装置１ｂ）は、ユーザがテレビ１０ｂのリモートコントローラ（以下、リモコン２０と呼称する）などを用いて入力した入力信号に応じて（換言すれば、ユーザ操作に応じて）、低輝度範囲決定係数Ｂや演算係数ＡＴを補正する。以下、その詳細について説明する。
【００７５】
図１２に示すように、テレビ１０ｂは、制御部１２に代えて制御部１２ｂを備えている。また、テレビ１０ｂは、新たに、リモコン２０から送信された信号（以下、リモコン信号と呼称する）を受信するリモコン受信部１５を備えている。そして、制御部１２ｂには、放送信号制御部１２１、輝度係数決定部１２３、演算係数算出部１２６、および映像処理部１２８に代えて、放送信号制御部１２１ｂ、輝度係数決定部１２３ｂ、演算係数算出部１２６ｂ、映像処理部１２８ｂがそれぞれ含まれている。また、制御部１２ｂには、新たにリモコン信号制御部１２９が含まれている。なお、放送信号制御部１２１ｂは、実施形態２にて説明した放送信号制御部１２１ａと同様の構成であるため、ここでの説明を省略する。
【００７６】
リモコン信号制御部１２９は、リモコン受信部１５からリモコン信号を取得すると、該リモコン信号に含まれる操作指示を特定し、輝度係数決定部１２３ｂまたは演算係数算出部１２６ｂに出力する。具体的には、リモコン信号制御部１２９は、特定した操作指示が低輝度範囲決定係数Ｂの補正指示ｄ４であった場合、該補正指示ｄ４を輝度係数決定部１２３ｂに出力する。また、リモコン信号制御部１２９は、特定した操作指示が演算係数ＡＴの補正指示ｄ５であった場合、該補正指示ｄ５を演算係数算出部１２６ｂに出力する。
【００７７】
また、リモコン信号制御部１２９は、特定した操作指示が、低輝度範囲決定係数Ｂや演算係数ＡＴを補正するためのユーザインターフェース（以下、ＵＩと呼称する）を表示部１４に表示させるＵＩ表示指示ｄ６であった場合、該ＵＩ表示指示ｄ６を映像処理部１２８ｂに出力する。
【００７８】
輝度係数決定部１２３ｂは、輝度係数決定部１２３と以下の点で相違する。すなわち、輝度係数決定部１２３ｂは、読み出した低輝度範囲決定係数Ｂを、取得した補正指示ｄ４に従って補正する。例えば、補正指示ｄ４が低輝度範囲決定係数を２倍する指示であった場合、輝度係数決定部１２３ｂは、該指示に応じて低輝度範囲決定係数Ｂを２倍した低輝度範囲決定係数Ｂ”を算出し、この低輝度範囲決定係数Ｂ”に基づいて輝度係数ＡＹを決定する。
【００７９】
なお、輝度係数決定部１２３ｂは、実施形態２にて説明した輝度係数決定部１２３ａのように、取得した最大輝度値ＭａｘＣＬＬおよびフレーム輝度最大値Ｙｍａｘを用いて、低輝度範囲決定係数Ｂ’を補正する構成であってもよい。この例の場合、輝度係数決定部１２３ｂは、低輝度範囲決定係数Ｂ’を取得した補正指示ｄ４に従ってさらに補正する。
【００８０】
なお、補正指示ｄ４は、低輝度の範囲を変化させる（補正する）ための指示であればよく、該指示によって補正される値は低輝度範囲決定係数Ｂに限定されない。例えば、輝度係数決定部１２３ｂは、補正指示ｄ４に従って、最大輝度値ＭａｘＣＬＬを補正してもよい。
【００８１】
演算係数算出部１２６ｂは、演算係数算出部１２６と以下の点で相違する。すなわち、演算係数算出部１２６ｂは、算出した演算係数ＡＴを、取得した補正指示ｄ５に従って補正する。例えば、補正指示ｄ５が演算係数ＡＴを０．５倍する指示であった場合、演算係数算出部１２６ｂは、該指示に応じて演算係数ＡＴを０．５倍した演算係数演算係数ＡＴ’を算出し、この演算係数演算係数ＡＴ’を彩度補正部１２７に出力する。
【００８２】
映像処理部１２８ｂは、映像処理部１２８と以下の点で相違する。すなわち、映像処理部１２８ｂは、リモコン信号制御部１２９からＵＩ表示指示ｄ６を取得すると、表示部１４に低輝度範囲決定係数Ｂや演算係数ＡＴを補正するためのＵＩを表示させる。該ＵＩは、低輝度範囲決定係数Ｂや演算係数ＡＴの補正を受け付けることができるものであれば特に限定されないが、例えば、図１３に示すものであってもよい。図１３は、表示部１４に表示されるＵＩの一例を示す図である。
【００８３】
例えば、映像処理部１２８ｂは、図１３の（ａ）に示すように、低輝度範囲決定係数Ｂ（または最大輝度値ＭａｘＣＬＬ）を補正するための入力を受け付けるＵＩ１４１を表示部１４に表示させてもよい。具体的には、ＵＩ１４１は、ユーザがリモコン２０を操作したことに応じて、ハンドル部４１１（ＵＩ１４１の円形部分）が、スライダ部４１２（ＵＩ１４１の長方形部分）上を移動するスライダである。なおここでは、ＵＩ１４１は、ユーザがリモコン２０を操作したことに応じて、ハンドル部４１１がスライダ部４１２の下限表示４１３（「０」というテキスト）に対応する位置（すなわち、図１３の（ａ）におけるスライダ部４１２の左端）から、上限表示４１４（「＋１０」というテキスト）に対応する位置（すなわち、図１３の（ａ）におけるスライダ部４１２の右端）の間の１１箇所のいずれかの位置に移動するものとして説明するが、この例に限定されるものではない。換言すれば、下限表示４１３は、スライダ部４１２の下限の位置を示す表示であり、上限表示４１４は、スライダ部４１２の上限の位置を示す表示である。また、表示部１４には、ユーザが図１３の（ａ）に示す画面が表示されているときにリモコン２０を操作することにより実行される処理を示す「暗部ノイズ低減」というテキストが表示されている。
【００８４】
リモコン信号制御部１２９は、ＵＩ１４１のハンドル部４１１が、スライダ部４１２の図１３の（ａ）における左端から右端、換言すれば、スライダ部４１２における、下限表示４１３（「０」というテキスト）に対応する位置から上限表示４１４（「＋１０」というテキスト）に対応する位置の間のいずれかの位置に移動したことをリモコン信号として取得したとき、該位置に応じて低輝度範囲決定係数Ｂを補正する旨の指示を補正指示ｄ４として輝度係数決定部１２３ｂに出力する。具体的には、リモコン信号制御部１２９は、記憶部１３に記憶されている、スライダ部４１２におけるハンドル部４１１の位置を示す値に対する低輝度範囲決定係数Ｂの変化量（換言すれば、低輝度範囲決定係数Ｂを何倍するかを示す値）の関数を格納したＬＵＴ（不図示）を読み出す。そして、該関数に、スライダ部４１２におけるハンドル部４１１の位置を示す値を代入して、低輝度範囲決定係数Ｂの変化量を特定する。該関数は例えば、スライダ部４１２におけるハンドル部４１１の位置が、スライダ部４１２における下限表示４１３（「０」というテキスト）に対応する位置であることを示す値のときに、低輝度範囲決定係数Ｂの変化量が０倍となり、ハンドル部４１１の位置がスライダ部４１２における上限表示４１４（「＋１０」というテキスト）に対応する位置であることを示す値のときに、低輝度範囲決定係数Ｂの変化量が２倍となるような一次関数であってもよい。なお、ここで説明した関数は一例であり、この例に限定されるものではない。
【００８５】
また例えば、映像処理部１２８ｂは、図１３の（ｂ）に示すように、低輝度範囲決定係数Ｂ（または最大輝度値ＭａｘＣＬＬ）を補正するための入力を受け付けるＵＩ１４２と、演算係数ＡＴを補正するための入力を受け付けるＵＩ１４３とを表示部１４に表示させてもよい。ＵＩ１４２およびＵＩ１４３は、上述したＵＩ１４１と同様に、ユーザがリモコン２０を操作したことに応じて、ハンドル部４１１がスライダ部４１２における１１箇所のいずれかの位置に移動するスライダであるとして説明するが、この例に限定されるものではない。
【００８６】
なお、ＵＩ１４２は、下限表示４１３として「狭い」というテキストを含み、また、上限表示４１４として「広い」というテキストを含む。また、ＵＩ１４２は、スライダ部４１２の中心に対応する位置を示す中間表示４１５（「中」というテキスト）をさらに含む。一方、ＵＩ１４３は、下限表示４１３として「小」というテキストを含み、また、上限表示４１４として「大」というテキストを含む。また、ＵＩ１４３は、ＵＩ１４２と同様に、中間表示４１５として「中」というテキストを含む。また、表示部１４には、ユーザが図１３の（ｂ）に示す画面が表示されているときにリモコン２０を操作することにより実行される処理を示す「低減領域」および「低減量」というテキストが、それぞれＵＩ１４２およびＵＩ１４３に隣接して表示されている。
【００８７】
リモコン信号制御部１２９は、ＵＩ１４２のハンドル部４１１がスライダ部４１２の図１３の（ｂ）における左端から右端、換言すれば、スライダ部４１２における、下限表示４１３（「狭い」というテキスト）に対応する位置から上限表示４１４（「広い」というテキスト）に対応する位置の間のいずれかの位置に移動したことをリモコン信号として取得したとき、該位置に応じて低輝度範囲決定係数Ｂを補正する旨の指示を補正指示ｄ４として輝度係数決定部１２３ｂに出力する。この処理については、上述したＵＩ１４１のハンドル部４１１がスライダ部４１２上を移動したことをリモコン信号として取得したときの処理と同様であるため、ここでの説明を省略する。
【００８８】
また、リモコン信号制御部１２９は、ＵＩ１４３のハンドル部４１１がスライダ部４１２の図１３の（ｂ）における左端から右端、換言すれば、スライダ部４１２における、下限表示４１３（「小」というテキスト）に対応する位置から上限表示４１４（「大」というテキスト）に対応する位置の間のいずれかの位置に移動したことをリモコン信号として取得したとき、該位置に応じて演算係数ＡＴを補正する旨の指示を補正指示ｄ５として演算係数算出部１２６に出力する。具体的には、リモコン信号制御部１２９は、記憶部１３に記憶されている、スライダ部４１２におけるハンドル部４１１の位置を示す値に対する演算係数ＡＴの変化量（換言すれば、演算係数ＡＴを何倍するかを示す値）の関数を格納したＬＵＴ（不図示）を読み出す。そして、該関数に、スライダ部４１２におけるハンドル部４１１の位置を示す値を代入して、演算係数ＡＴの変化量を特定する。該関数は例えば、スライダ部４１２におけるハンドル部４１１の位置が、スライダ部４１２における下限表示４１３（「小」というテキスト）に対応する位置であることを示す値のときに、演算係数ＡＴの変化量が１倍となり、ハンドル部４１１の位置が、スライダ部４１２における上限表示４１４（「大」というテキスト）に対応する位置であることを示す値のときに、演算係数ＡＴの変化量が０．１倍となるような一次関数であってもよい。なお、ここで説明した関数は一例であり、この例に限定されるものではない。
【００８９】
なお、リモコン信号制御部１２９は、リモコン受信部１５から取得したリモコン信号を、そのまま輝度係数決定部１２３ｂ、演算係数算出部１２６ｂ、または映像処理部１２８ｂに出力する構成であってもよい。この例の場合、リモコン信号制御部１２９は、取得したリモコン信号の出力先を決定し、該リモコン信号を決定した出力先に出力する。また、輝度係数決定部１２３ｂおよび演算係数算出部１２６ｂは、該リモコン信号に応じて低輝度範囲決定係数Ｂまたは演算係数ＡＴを補正する。また、映像処理部１２８ｂは、該リモコン信号に応じたＵＩを表示部１４に表示させる。
【００９０】
また、本実施形態では、ユーザの入力操作を受け付ける部材として、リモコン２０およびリモコン受信部１５を例に挙げて説明したが、ユーザの入力操作を受け付ける部材はこの例に限定されない。例えば、テレビ１０ｂに設けられた物理ボタンであってもよいし、表示部１４に重畳して設けられたタッチパネルであってもよい。また、リモコン２０は図１３に示すように物理ボタンのみを有するものであってもよいし、物理ボタンの他に、または、物理ボタンに代えてタッチパネルを有するものであってもよい。
【００９１】
（実施形態３の変形例）
本実施形態に係るテレビ１０ｂは、ユーザにコンテンツの表示モードを選択させ、ユーザが選択した表示モードに応じて、低輝度範囲決定係数Ｂまたは最大輝度値ＭａｘＣＬＬを補正してもよい。この例の場合、映像処理部１２８ｂは、コンテンツの表示モードをユーザに選択させるためのＵＩを表示部１４に表示させてもよい。該ＵＩは、ユーザがコンテンツの表示モードを選択することができるものであれば特に限定されないが、例えば、図１４に示すものであってもよい。図１４は、表示部１４に表示されるＵＩの別の例を示す図である。なお、本変形例では、最大輝度値ＭａｘＣＬＬを補正する例を説明する。
【００９２】
図１４に示すＵＩ１４４ａ、ＵＩ１４４ｂ、およびＵＩ１４４ｃは、コンテンツの表示モードの変更を受け付けるためのＵＩである。なお以降、ＵＩ１４４ａ、ＵＩ１４４ｂ、およびＵＩ１４４ｃを区別する必要が無い場合、これらをＵＩ１４４と呼称する。また、表示部１４には、ユーザが図１４に示す画面が表示されているときにリモコン２０を操作することにより実行される処理を示す「表示モード選択」というテキストが表示されている。
【００９３】
ユーザは、図示のようにリモコン２０を操作して、「標準モード」、「ダイナミックモード」、および「映画モード」から、望みの表示モードを選択する。ここで、これらのモードについて簡単に説明する。「ダイナミックモード」は、コンテンツが鮮やかに表示されるように（具体的には、各画素の彩度を上げるように）映像処理を行うモードであり、コンテンツがスポーツ中継の映像や音楽のライブの映像などである場合に適しているモードである。「映画モード」は、コンテンツの鮮やかさを抑えるように（具体的には、各画素の彩度を下げるように）映像処理を行うモードであり、コンテンツが映画などである場合に適しているモードである。「標準モード」は、テレビ１０ｂにおいてコンテンツに応じた映像処理を行わないモードである。なお、ここで説明するコンテンツの表示モードは一例であり、コンテンツの表示モードはこの例に限定されるものではない。
【００９４】
リモコン信号制御部１２９は、いずれの表示モードを選択したかを示すリモコン信号を取得すると、取得したリモコン信号に応じて、最大輝度値ＭａｘＣＬＬの変化量（換言すれば、最大輝度値ＭａｘＣＬＬを何倍するかを示す値）を変更する。具体的には、「標準モード」を選択したことを示すリモコン信号を取得すると、リモコン信号制御部１２９は、最大輝度値ＭａｘＣＬＬの変化量を１倍とする補正指示ｄ４を輝度係数決定部１２３ｂに出力する。なお、「標準モード」が選択された場合、最大輝度値ＭａｘＣＬＬは変化しないので、リモコン信号制御部１２９は補正指示ｄ４を出力しない構成であってもよい。
【００９５】
また、「ダイナミックモード」を選択したことを示すリモコン信号を取得すると、リモコン信号制御部１２９は、最大輝度値ＭａｘＣＬＬの変化量を１．５倍とする補正指示ｄ４を輝度係数決定部１２３ｂに出力する。これは、ダイナミックモードが各画素の彩度を上げるように映像処理を行うモードであるので、色ノイズが強調される可能性が高いためである。つまり、上述したように最大輝度値ＭａｘＣＬＬを１．５倍して低輝度の範囲（すなわち、彩度を減少させる補正を行う範囲）を拡大するので、「ダイナミックモード」にしたことで色ノイズが発生することが懸念される画素（換言すれば、最大輝度値ＭａｘＣＬＬを補正したことによって新たに低輝度の範囲に含まれた画素）について、色ノイズを抑えることができる。
【００９６】
また、「映画モード」を選択したことを示すリモコン信号を取得すると、リモコン信号制御部１２９は、最大輝度値ＭａｘＣＬＬの変化量を０．５倍とする補正指示ｄ４を輝度係数決定部１２３ｂに出力する。これは、映画モードが各画素の彩度を下げるように映像処理を行うモードであるので、低輝度の範囲を補正しない場合、ノイズ低減の必要が無い画素に対しても彩度を減少させてしまうおそれがあるためである。つまり、上述したように最大輝度値ＭａｘＣＬＬを０．５倍して低輝度の範囲（すなわち、彩度を減少させる補正を行う範囲）を縮小するので、コンテンツにおける過補正を防ぐことができる。なお、ここで説明した最大輝度値ＭａｘＣＬＬの変化量は一例であり、この例に限定されるものではない。
【００９７】
（その他の変形例）
上述した各実施形態に係る輝度係数決定部１２３、輝度係数決定部１２３ａ、輝度係数決定部１２３ｂ（以降、これらを区別する必要のない場合、輝度係数決定部１２３と呼称する）は、コンテンツに応じて低輝度範囲決定係数Ｂまたは最大輝度値ＭａｘＣＬＬを補正してもよい。具体的には、輝度係数決定部１２３は、放送信号制御部１２１からコンテンツの種類を示す情報（例えば、映画、スポーツ中継、ドラマなど）を取得し、該情報に応じて低輝度範囲決定係数Ｂまたは最大輝度値ＭａｘＣＬＬを補正する。例えば、該情報が、コンテンツが映画であることを示す情報であった場合、最大輝度値ＭａｘＣＬＬを０．５倍する。また例えば、該情報が、コンテンツがスポーツ中継であることを示す情報であった場合、最大輝度値ＭａｘＣＬＬを１．５倍する。なお、輝度係数決定部１２３は、コンテンツの種類を示す情報を、ＥＰＧ（Electronic Program Guide；電子番組ガイド）から取得してもよい。
【００９８】
また、上述した各実施形態に係る演算係数算出部１２６、演算係数算出部１２６ｂ（以降、これらを区別する必要のない場合、演算係数算出部１２６と呼称する）は、輝度係数ＡＹ、彩度係数ＡＳ、および色相係数ＡＨを用いて演算係数ＡＴを算出していたが、この例に限定されない。具体的には、演算係数算出部１２６は、少なくとも輝度係数ＡＹを用いて演算係数ＡＴを決定すればよい。なお、輝度係数ＡＹのみを用いる場合、演算係数算出部１２６は、取得した輝度係数ＡＹを演算係数ＡＴとして彩度補正部１２７に出力する。
【００９９】
〔ソフトウェアによる実現例〕
ノイズ低減装置１、１ａ、１ｂの制御ブロック（特に制御部１２、１２ａ、１２ｂに含まれる各部）は、集積回路（ＩＣチップ）等に形成された論理回路（ハードウェア）によって実現してもよいし、ＣＰＵ（Central Processing Unit）を用いてソフトウェアによって実現してもよい。
【０１００】
後者の場合、ノイズ低減装置１、１ａ、１ｂは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１０１】
〔まとめ〕
本発明の態様１に係る表示制御装置（ノイズ低減装置１）は、表示させる画像の輝度に応じた第１の値であって、該第１の値に応じた輝度よりも小さい輝度を有する画素について、輝度を維持しながら彩度を減少させる彩度変更部（彩度補正部１２７）を備える。
【０１０２】
上記の構成によれば、第１の値より輝度が小さい画素について、彩度を減少させる。換言すれば、輝度が第１の値以上の画素については彩度を減少させない。よって、画像の低輝度領域のみ彩度を減少させることができる。低輝度領域の画素の彩度が減少すると、周囲の画素との色の違いが目立たなくなる。よって、画像の低輝度領域に発生した色ノイズを目立たなくなる。よって、画像の低輝度領域に発生した色ノイズを目立たなくすることができ、結果的に色ノイズを低減することができる。また、上記の構成によれば、彩度を減少させた画素の輝度は維持されるので、画像の情報量を低下させることなく、色ノイズを低減することができる。
【０１０３】
本発明の態様２に係る表示制御装置は、上記態様１において、上記画像の輝度の最大値を特定する最大値特定部（輝度分布生成部１２２）をさらに備え、上記第１の値は、上記最大値に対して所定の割合となる値であってもよい。
【０１０４】
上記の構成によれば、第１の値は画像の輝度の最大値に対して所定の割合となる値である。これにより、画像の輝度の最大値に応じて値を変化させることができるので、各画像において適切な低輝度領域を設定することができる。よって、各画像において適切な画素のみにおいて色ノイズを低減することができる。
【０１０５】
本発明の態様３に係る表示制御装置は、上記態様２において、上記所定の割合は、上記画像の輝度の最大値と、上記画像を含むコンテンツに予め設定された、該コンテンツの輝度の最大値との差が大きい場合に小さくなり、小さい場合に大きくなってもよい。
【０１０６】
上記の構成によれば、所定の割合は、画像の輝度の最大値と、コンテンツの輝度の最大値との差が大きい場合に小さくなり、小さい場合に大きくなる。これにより、ノイズの低減対象の画像が、コンテンツにおいて暗いシーンの画像であるか、または明るいシーンの画像であるかに応じて、ノイズの低減対象（換言すれば彩度の低減対象）の画素を変えることができる。これにより、画像において最適なノイズの低減を行うことができる。
【０１０７】
本発明の態様４に係る表示制御装置は、上記態様２または３において、上記所定の割合は、ユーザ操作に応じて変更されてもよい。
【０１０８】
上記の構成によれば、ユーザ操作に応じて所定の割合が変更されるので、ユーザ操作に応じてノイズの低減対象（換言すれば彩度の低減対象）の画素を変えることができる。これにより、ノイズの低減対象の画素をユーザにとって望ましいものとすることができる。
【０１０９】
本発明の態様５に係る表示制御装置は、上記態様４において、上記所定の割合を変更するためのユーザインターフェースを表示装置に表示させてもよい。
【０１１０】
上記の構成によれば、所定の割合を変更するためのユーザインターフェースが表示装置に表示されるので、ユーザは、所定の割合の変更度合いを確認することができる。よって、ユーザにとって利用しやすい表示制御装置を実現することができる。
【０１１１】
本発明の態様６に係る表示制御装置は、上記態様１から５のいずれかにおいて、上記彩度変更部は、輝度が０から、上記画像の輝度に応じた値であって上記第１の値より値が小さい第２の値の範囲に含まれる画素の彩度を０とし、輝度が上記第２の値から上記第１の値の範囲に含まれる画素の彩度の減少度合いを、輝度が大きくなるほど小さくしてもよい。
【０１１２】
上記の構成によれば、輝度が０から第２の値の範囲に含まれる画素については彩度が０となるので、低輝度領域のうちでもさらに低輝度の領域（換言すれば、色ノイズがより目立つ領域）の色ノイズを適切に低減することができる。また、輝度が第２の値から第１の値の範囲に含まれる画素については、彩度の減少度合いを輝度が大きくなるほど小さくするので、輝度の違いが小さい画素の間、特に輝度が第２の値周辺の値となる画素の間での、彩度の急激な変化を抑えることができる。
【０１１３】
本発明の態様７に係る表示制御装置は、上記態様１から６のいずれかにおいて、上記彩度変更部は、色相が青色に近い画素ほど彩度の減少度合いを大きくしてもよい。
【０１１４】
色ノイズは、色相が青色に近いほど目立つノイズである。ここで、上記の構成によれば、色相が青色に近い画素ほど彩度の減少度合いを大きくする。よって、目立ちやすい色ノイズほど目立たないようにすることができるので、より効果的な色ノイズの低減を実現することができる。
【０１１５】
本発明の態様８に係る表示制御装置は、上記態様１から７のいずれかにおいて、上記彩度変更部は、彩度が大きい画素ほど彩度の減少度合いを大きくしてもよい。
【０１１６】
上記の構成によれば、彩度が大きい画素ほど彩度の減少度合いを大きくするので、より原色に近い（換言すれば、より色ノイズとして目立つ）画素の彩度を大きく減少させることができる。これにより、より効果的な色ノイズの低減を実現することができる。
【０１１７】
本発明の態様９に係る表示装置（テレビ１０）は、上記態様１から８のいずれかに係る表示制御装置を備えてもよい。
【０１１８】
上記の構成によれば、画像の情報量を低下させることなく、画像の低輝度領域での色ノイズを低減することができる表示装置を実現することができる。
【０１１９】
本発明の態様１０に係るテレビジョン受像機（テレビ１０）は、上記態様１から８のいずれかに係る表示制御装置を備えてもよい。
【０１２０】
上記の構成によれば、画像の情報量を低下させることなく、画像の低輝度領域での色ノイズを低減することができるテレビジョン受像機を実現することができる。
【０１２１】
本発明の態様１１に係る表示制御装置の制御方法は、表示させる画像の輝度に応じた第１の値であって、該第１の値に応じた輝度よりも小さい輝度を有する画素について、輝度を維持しながら彩度を減少させる彩度変更ステップ（ステップＳ８）を含む。
【０１２２】
上記の構成によれば、態様１に係る表示制御装置と同様の作用効果を奏する。
【０１２３】
本発明の各態様に係る表示制御装置は、コンピュータによって実現してもよく、この場合には、コンピュータを上記表示制御装置が備える各部（ソフトウェア要素）として動作させることにより上記表示制御装置をコンピュータにて実現させる表示制御装置の制御プログラム、およびそれを記録したコンピュータ読み取り可能な記録媒体も、本発明の範疇に入る。
【０１２４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２５】
１        ノイズ低減装置（表示制御装置）
１０      テレビ（表示装置、テレビジョン受像機）
１２２    輝度分布生成部（最大値特定部）
１２７    彩度補正部（彩度変更部）
Ｓ８      彩度変更ステップ
【手続補正２】
【補正対象書類名】特許請求の範囲
【補正対象項目名】全文
【補正方法】変更
【補正の内容】
【特許請求の範囲】
【請求項１】
表示させる画像の輝度に応じた第１の値であって、該第１の値に応じた輝度よりも小さい輝度を有する画素について、輝度を維持しながら彩度を減少させる彩度変更部を備える表示制御装置。
【請求項２】
上記画像の輝度の最大値を特定する最大値特定部をさらに備え、
上記第１の値は、上記最大値に対して所定の割合となる値であることを特徴とする請求項１に記載の表示制御装置。
【請求項３】
上記所定の割合は、上記画像の輝度の最大値と、上記画像を含むコンテンツに予め設定された、該コンテンツの輝度の最大値との差が大きい場合に小さくなり、小さい場合に大きくなることを特徴とする請求項２に記載の表示制御装置。
【請求項４】
上記所定の割合は、ユーザ操作に応じて変更されることを特徴とする請求項２または３に記載の表示制御装置。
【請求項５】
上記所定の割合を変更するためのユーザインターフェースを表示装置に表示させることを特徴とする請求項４に記載の表示制御装置。
【請求項６】
上記彩度変更部は、輝度が０から、上記画像の輝度に応じた値であって上記第１の値より値が小さい第２の値の範囲に含まれる画素の彩度を０とし、輝度が上記第２の値から上記第１の値の範囲に含まれる画素の彩度の減少度合いを、輝度が大きくなるほど小さくすることを特徴とする請求項１から５のいずれか１項に記載の表示制御装置。
【請求項７】
上記彩度変更部は、色相が青色に近い画素ほど上記彩度の減少度合いを大きくすることを特徴とする請求項１から６のいずれか１項に記載の表示制御装置。
【請求項８】
上記彩度変更部は、彩度が大きい画素ほど上記彩度の減少度合いを大きくすることを特徴とする請求項１から７のいずれか１項に記載の表示制御装置。
【請求項９】
請求項１から８のいずれか１項に記載の表示制御装置を備えていることを特徴とする表示装置。
【請求項１０】
請求項１から８のいずれか１項に記載の表示制御装置を備えていることを特徴とするテレビジョン受像機。
【請求項１１】
表示させる画像の輝度に応じた第１の値であって、該第１の値に応じた輝度よりも小さい輝度を有する画素について、輝度を維持しながら彩度を減少させる彩度変更ステップを含む表示制御装置の制御方法。
【請求項１２】
請求項１に記載の表示制御装置としてコンピュータを機能させるための制御プログラムであって、上記彩度変更部としてコンピュータを機能させるための制御プログラム。
【請求項１３】
請求項１２に記載の制御プログラムを記録したコンピュータ読み取り可能な記録媒体。
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
表示させる画像の輝度に応じた第１の値であって、該第１の値に応じた輝度よりも小さい輝度を有する画素について、輝度を維持しながら彩度を減少させる彩度変更部と、
上記画像の輝度の最大値を特定する最大値特定部とを備え、
上記第１の値は、上記最大値に対して所定の割合となる値であることを特徴とする表示制御装置。
【請求項２】
上記所定の割合は、上記画像の輝度の最大値と、上記画像を含むコンテンツに予め設定された、該コンテンツの輝度の最大値との差が大きい場合に小さくなり、小さい場合に大きくなることを特徴とする請求項１に記載の表示制御装置。
【請求項３】
上記所定の割合は、ユーザ操作に応じて変更されることを特徴とする請求項１または２に記載の表示制御装置。
【請求項４】
上記所定の割合を変更するためのユーザインターフェースを表示装置に表示させることを特徴とする請求項３に記載の表示制御装置。
【請求項５】
上記彩度変更部は、輝度が０から、上記画像の輝度に応じた値であって上記第１の値より値が小さい第２の値の範囲に含まれる画素の彩度を０とし、輝度が上記第２の値から上記第１の値の範囲に含まれる画素の彩度の減少度合いを、輝度が大きくなるほど小さくすることを特徴とする請求項１から４のいずれか１項に記載の表示制御装置。
【請求項６】
表示させる画像の輝度に応じた第１の値であって、該第１の値に応じた輝度よりも小さい輝度を有する画素について、輝度を維持しながら彩度を減少させる彩度変更部を備え、
上記彩度変更部は、色相が青色に近い画素ほど上記彩度の減少度合いを大きくすることを特徴とする表示制御装置。
【請求項７】
表示させる画像の輝度に応じた第１の値であって、該第１の値に応じた輝度よりも小さい輝度を有する画素について、輝度を維持しながら彩度を減少させる彩度変更部を備え、
上記彩度変更部は、彩度が大きい画素ほど上記彩度の減少度合いを大きくすることを特徴とする表示制御装置。
【請求項８】
請求項１から７のいずれか１項に記載の表示制御装置を備えていることを特徴とする表示装置。
【請求項９】
請求項１から７のいずれか１項に記載の表示制御装置を備えていることを特徴とするテレビジョン受像機。
【請求項１０】
表示させる画像の輝度に応じた第１の値であって、該第１の値に応じた輝度よりも小さい輝度を有する画素について、輝度を維持しながら彩度を減少させる彩度変更ステップと、
上記画像の輝度の最大値を特定する最大値特定ステップとを含み、
上記第１の値は、上記最大値に対して所定の割合となる値であることを特徴とする表示制御装置の制御方法。
【請求項１１】
表示させる画像の輝度に応じた第１の値であって、該第１の値に応じた輝度よりも小さい輝度を有する画素について、輝度を維持しながら彩度を減少させる彩度変更ステップを含み、
上記彩度変更ステップにおいて、色相が青色に近い画素ほど上記彩度の減少度合いを大きくすることを特徴とする表示制御装置の制御方法。
【請求項１２】
表示させる画像の輝度に応じた第１の値であって、該第１の値に応じた輝度よりも小さい輝度を有する画素について、輝度を維持しながら彩度を減少させる彩度変更ステップを含み、
上記彩度変更ステップにおいて、彩度が大きい画素ほど上記彩度の減少度合いを大きくすることを特徴とする表示制御装置の制御方法。
【請求項１３】
請求項１に記載の表示制御装置としてコンピュータを機能させるための制御プログラムであって、上記彩度変更部としてコンピュータを機能させるための制御プログラム。
【請求項１４】
請求項１３に記載の制御プログラムを記録したコンピュータ読み取り可能な記録媒体。